(57)【要約】【課題】  ローカルにブロードキャストされた電子作品を追跡するための方法、システム、およびプログラムを提供することにある。【解決手段】  本発明の一態様によれば、送信プレーヤは電子作品をローカルにブロードキャストする。特に、このローカル・ブロードキャストは、随時無線システムを作成するワイヤレス・ブロードキャストにすることができる。少なくとも１つの受信側プレーヤは、電子作品の局地的ブロードキャストを受信し、電子作品の配布を追跡するための配布クッキーを受け入れる。少なくとも１つの受信側プレーヤは、第２のプレーヤのユーザによるレーティングおよびブロードキャストされた電子作品の購入を含む、電子作品のブロードキャストに関する追跡情報で配布クッキーを更新する。【選択図】  図２
2005166041.tif 000002
【特許請求の範囲】
【請求項１】
第１のプレーヤから第２のプレーヤへの電子作品の局地的ブロードキャストを検出するステップと、
前記電子作品の前記ブロードキャストとともに前記第２のプレーヤで前記第１のプレーヤからの配布クッキーを受け入れるステップと、
前記第２のプレーヤへの前記電子作品の前記ブロードキャストに関する追跡情報で前記配布クッキーを更新するステップと、
追跡サーバで前記配布クッキーを収集し分析することにより前記電子作品の局地的ブロードキャスト配布が追跡されるように、ネットワーク接続の検出に応答して、前記追跡サーバに前記配布クッキーを提供するステップと、
を有する、電子作品の配布を追跡するための方法。
【請求項２】
電子作品の局地的ブロードキャストを検出する前記ステップが、
第１のプレーヤから第２のプレーヤへの前記電子作品のワイヤレス・ブロードキャストを検出するステップであって、前記第１のプレーヤおよび第２のプレーヤのうちの少なくとも一方がポータブル電子装置であるステップ
をさらに有する、電子作品の配布を追跡するための請求項１に記載の方法。
【請求項３】
配布クッキーを受け入れる前記ステップが、
前記第２のプレーヤでの受信側が前記配布クッキーを受け入れる場合のみ、前記第２のプレーヤでの前記電子作品の再生を許可するステップ
をさらに有する、電子作品の配布を追跡するための請求項１に記載の方法。
【請求項４】
配布サーバから前記第１のプレーヤで前記配布クッキーを受信するステップであって、前記配布クッキーが、前記配布サーバ、購入者ＩＤ、購入ＩＤ、購入時間、購入場所、前記電子作品の配布のためのインセンティブ、前記電子作品の購入のためのインセンティブのうちの少なくとも１つを識別するステップ
をさらに有する、電子作品の配布を追跡するための請求項１に記載の方法。
【請求項５】
前記第２のプレーヤでの受信側による応答で前記配布クッキーを更新するステップであって、前記応答が、前記電子作品の購入、前記電子作品に関するレーティング、前記電子作品のレビュー、前記電子作品のレビューに関するレーティング、前記電子作品のブロードキャストのうちの少なくとも１つを有するステップ
をさらに有する、電子作品の配布を追跡するための請求項１に記載の方法。
【請求項６】
前記第２のプレーヤから次のプレーヤに前記配布クッキーとともに前記電子作品をブロードキャストするステップと、
前記次のプレーヤへの前記電子作品の前記ブロードキャストに関する情報で前記配布クッキーを更新するステップと、
をさらに有する、電子作品の配布を追跡するための請求項１に記載の方法。
【請求項７】
前記第２のプレーヤでの受信側による複数の電子作品に関する複数の電子作品レーティングで前記配布クッキーを更新するステップ
をさらに有する、電子作品の配布を追跡するための請求項１に記載の方法。
【請求項８】
前記追跡サーバに前記配布クッキーを提供するステップであって、前記追跡サーバが、前記配布クッキーを収集し分析して、前記電子作品の配布率、前記電子作品が好意的に受信されるマーケティング・エリア、前記電子作品の購入率および購入履歴、前記電子作品に対する現行レーティング応答、前記電子作品に関する少なくとも１つのコメントに対する現行レーティング応答のうちの少なくとも１つを決定できるようになっているステップ
をさらに有する、電子作品の配布を追跡するための請求項１に記載の方法。
【請求項９】
ディジタル権利規則により前記配布クッキーへの前記追跡サーバによるアクセスが可能になる場合のみ、前記追跡サーバに前記配布クッキーを提供するステップ
をさらに有する、電子作品の配布を追跡するための請求項１に記載の方法。
【請求項１０】
前記配布クッキーに指定されたリンクから前記追跡サーバとの通信をトリガするステップ
をさらに有する、電子作品の配布を追跡するための請求項１に記載の方法。
【請求項１１】
電子作品をローカルにブロードキャストする第１のプレーヤを検出する第２のプレーヤを有し、
前記第２のプレーヤが、
前記電子作品の前記ブロードキャストとともに前記第２のプレーヤで前記第１のプレーヤからの配布クッキーを受け入れるための手段と、
前記第２のプレーヤへの前記電子作品の前記ブロードキャストに関する追跡情報で前記配布クッキーを更新するための手段と、
ネットワーク接続の検出に応答して、前記配布クッキーを分析できるようになっている追跡サーバに前記配布クッキーを提供するための手段と、
をさらに有する、電子作品の配布を追跡するためのシステム。
【請求項１２】
前記第１のプレーヤが前記電子作品をワイヤレスでブロードキャストする、電子作品の配布を追跡するための請求項１１に記載のシステム。
【請求項１３】
前記第１のプレーヤおよび第２のプレーヤのうちの少なくとも一方がポータブル・コンピューティング・システムである、電子作品の配布を追跡するための請求項１１に記載のシステム。
【請求項１４】
配布クッキーを受け入れるための前記手段が、
前記第２のプレーヤでの受信側が前記配布クッキーを受け入れる場合のみ、前記第２のプレーヤでの前記電子作品の再生を許可するための手段
をさらに有する、電子作品の配布を追跡するための請求項１１に記載のシステム。
【請求項１５】
前記電子作品および前記配布クッキーを前記第１のプレーヤに配布する配布サーバであって、前記配布クッキーが、前記配布サーバ、購入者ＩＤ、購入ＩＤ、購入時間、購入場所、前記電子作品の配布のためのインセンティブ、前記電子作品の購入のためのインセンティブのうちの少なくとも１つを識別する配布サーバ
をさらに有する、電子作品の配布を追跡するための請求項１１に記載のシステム。
【請求項１６】
前記第２のプレーヤが、
前記第２のプレーヤでの受信側による応答で前記配布クッキーを更新するための手段であって、前記応答が、前記電子作品の購入、前記電子作品に関するレーティング、前記電子作品のレビュー、前記電子作品のレビューに関するレーティング、前記電子作品のブロードキャストのうちの少なくとも１つを有する手段
をさらに有する、電子作品の配布を追跡するための請求項１１に記載のシステム。
【請求項１７】
前記第２のプレーヤが、
前記第２のプレーヤから次のプレーヤに前記配布クッキーとともに前記電子作品をブロードキャストするための手段と、
前記次のプレーヤへの前記電子作品の前記ブロードキャストに関する情報で前記配布クッキーを更新するための手段と、
をさらに有する、電子作品の配布を追跡するための請求項１１に記載のシステム。
【請求項１８】
前記第２のプレーヤでの受信側による複数の電子作品に関する複数の電子作品レーティングで前記配布クッキーを更新するための手段
をさらに有する、電子作品の配布を追跡するための請求項１１に記載のシステム。
【請求項１９】
前記追跡サーバが、
前記配布クッキーを分析して、前記電子作品の配布率、前記電子作品が好意的に受信されるマーケティング・エリア、前記電子作品の購入率および購入履歴、前記電子作品に対する現行レーティング応答、前記電子作品に関する少なくとも１つのコメントに対する現行レーティング応答のうちの少なくとも１つを決定するための手段
をさらに有する、電子作品の配布を追跡するための請求項１１に記載のシステム。
【請求項２０】
前記第２のプレーヤが、
ディジタル権利規則により前記配布クッキーへの前記追跡サーバによるアクセスが可能になる場合のみ、前記追跡サーバに前記配布クッキーを提供するための手段
をさらに有する、電子作品の配布を追跡するための請求項１１に記載のシステム。
【請求項２１】
前記第２のプレーヤが、
前記配布クッキーに指定されたリンクから前記追跡サーバとの通信をトリガするための手段
をさらに有する、電子作品の配布を追跡するための請求項１１に記載のシステム。
【請求項２２】
記録媒体と、
前記記録媒体上に記録され、第１のプレーヤから第２のプレーヤへの電子作品の局地的ブロードキャストを検出するための手段と、
前記記録媒体上に記録され、前記電子作品の前記ブロードキャストとともに前記第２のプレーヤで前記第１のプレーヤからの配布クッキーを受け入れるための手段と、
前記記録媒体上に記録され、前記第２のプレーヤへの前記電子作品の前記ブロードキャストに関する追跡情報で前記配布クッキーを更新するための手段と、
前記記録媒体上に記録され、ネットワーク接続の検出に応答して、追跡サーバに前記配布クッキーを提供するための手段と、
を有する、電子作品の配布を追跡するためのコンピュータ・プログラム記録媒体。
【請求項２３】
電子作品の局地的ブロードキャストを検出するための前記手段が、
前記記録媒体上に記録され、第１のプレーヤから第２のプレーヤへの前記電子作品のワイヤレス・ブロードキャストを検出するための手段であって、前記第１のプレーヤおよび第２のプレーヤのうちの少なくとも一方がポータブル電子装置である手段
をさらに有する、電子作品の配布を追跡するための請求項２２に記載のコンピュータ・プログラム記録媒体。
【請求項２４】
配布クッキーを受け入れるための前記手段が、
前記記録媒体上に記録され、前記第２のプレーヤでの受信側が前記配布クッキーを受け入れる場合のみ、前記第２のプレーヤでの前記電子作品の再生を許可するための手段
をさらに有する、電子作品の配布を追跡するための請求項２２に記載のコンピュータ・プログラム記録媒体。
【請求項２５】
前記記録媒体上に記録され、配布サーバから前記第１のプレーヤで前記配布クッキーを受信するための手段であって、前記配布クッキーが、前記配布サーバ、購入者ＩＤ、購入ＩＤ、購入時間、購入場所、前記電子作品の配布のためのインセンティブ、前記電子作品の購入のためのインセンティブのうちの少なくとも１つを識別する手段
をさらに有する、電子作品の配布を追跡するための請求項２２に記載のコンピュータ・プログラム記録媒体。
【請求項２６】
前記記録媒体上に記録され、前記第２のプレーヤでの受信側による応答で前記配布クッキーを更新するための手段であって、前記応答が、前記電子作品の購入、前記電子作品に関するレーティング、前記電子作品のレビュー、前記電子作品のレビューに関するレーティング、前記電子作品のブロードキャストのうちの少なくとも１つを有する手段
をさらに有する、電子作品の配布を追跡するための請求項２２に記載のコンピュータ・プログラム記録媒体。
【請求項２７】
前記記録媒体上に記録され、前記第２のプレーヤから次のプレーヤに前記配布クッキーとともに前記電子作品をブロードキャストするための手段と、
前記記録媒体上に記録され、前記次のプレーヤへの前記電子作品の前記ブロードキャストに関する情報で前記配布クッキーを更新するための手段と、
をさらに有する、電子作品の配布を追跡するための請求項２２に記載のコンピュータ・プログラム記録媒体。
【請求項２８】
前記記録媒体上に記録され、前記第２のプレーヤでの受信側による複数の電子作品に関する複数の電子作品レーティングで前記配布クッキーを更新するための手段
をさらに有する、電子作品の配布を追跡するための請求項２２に記載のコンピュータ・プログラム記録媒体。
【請求項２９】
前記記録媒体上に記録され、前記追跡サーバに前記配布クッキーを提供するための手段であって、前記追跡サーバが、前記配布クッキーを収集し分析して、前記電子作品の配布率、前記電子作品が好意的に受信されるマーケティング・エリア、前記電子作品の購入率および購入履歴、前記電子作品に対する現行レーティング応答、前記電子作品に関する少なくとも１つのコメントに対する現行レーティング応答のうちの少なくとも１つを決定できるようになっている手段
をさらに有する、電子作品の配布を追跡するための請求項２２に記載のコンピュータ・プログラム記録媒体。
【請求項３０】
前記記録媒体上に記録され、ディジタル権利規則により前記配布クッキーへの前記追跡サーバによるアクセスが可能になる場合のみ、前記追跡サーバに前記配布クッキーを提供するための手段
をさらに有する、電子作品の配布を追跡するための請求項２２に記載のコンピュータ・プログラム記録媒体。
【請求項３１】
前記記録媒体上に記録され、前記配布クッキーに指定されたリンクから前記追跡サーバとの通信をトリガするための手段
をさらに有する、電子作品の配布を追跡するための請求項２２に記載のコンピュータ・プログラム記録媒体。
【請求項３２】
ワイヤレス・ブロードキャスト中に電子作品が受信されたポータブル電子プレーヤから前記電子作品に関する少なくとも１つの配布クッキーを受信するステップであって、前記配布クッキーが、前記電子作品の元の供給者から前記プレーヤまでの複数装置からなる配布経路を識別するステップと、
前記元の供給者から前記プレーヤへの前記電子作品の配布率を計算するステップと、
ワイヤレスでブロードキャストされた電子作品の配布を追跡することにより、当該作品に関するレーティングが識別されるように、少なくとも１つの他のワイヤレスでブロードキャストされた電子作品の配布率と比較して、前記ワイヤレスでブロードキャストされた電子作品に関するレーティングを識別するステップと、
を有する、ワイヤレスでブロードキャストされた電子作品の配布に応答するための方法。
【請求項３３】
第１の配布クッキーによって識別された第１の領域に関する前記電子作品の前記配布率を第２の配布クッキーによって識別された第２の領域に関する前記電子作品の配布率と比較するステップと、
前記第１の領域内の前記配布率と前記第２の領域との差から前記ワイヤレスでブロードキャストされた電子作品に関するレーティングを識別するステップと、
をさらに有する、ワイヤレスでブロードキャストされた電子作品の配布に応答するための請求項３２に記載の方法。
【請求項３４】
前記ワイヤレスでブロードキャストされた電子作品に関する前記レーティングを、前記電子作品をワイヤレスでブロードキャストできるようになっている複数のプレーヤに配布するステップ
をさらに有する、ワイヤレスでブロードキャストされた電子作品の配布に応答するための請求項３２に記載の方法。
【請求項３５】
前記電子作品に関する前記レーティングに応じて前記配布経路が発生した領域内の前記電子作品に関する電子広告を調整するステップ
をさらに有する、ワイヤレスでブロードキャストされた電子作品の配布に応答するための請求項３２に記載の方法。
【請求項３６】
少なくとも１つの受信側が前記電子作品のワイヤレス・ブロードキャストにより前記電子作品を効果的にプロモートすることに応答して、前記配布経路内の前記電子作品の少なくとも１つの受信側を補償するために電子支払を計算するステップ
をさらに有する、ワイヤレスでブロードキャストされた電子作品の配布に応答するための請求項３２に記載の方法。
【請求項３７】
電子作品のワイヤレス・ブロードキャスト配布経路を追跡するための配布クッキーとともに第１のプレーヤのユーザに前記電子作品を配布するステップと、
前記ワイヤレス・ブロードキャスト配布経路に沿って電子作品のワイヤレス・ブロードキャストを受信した少なくとも１つのプレーヤから前記配布クッキーを検索するステップと、
前記配布クッキーによって記録された前記ユーザによる前記電子作品の配布の有効性に基づいて、前記第１のプレーヤの前記ユーザに電子補償を提供するステップと、
を有する、電子作品を配布するためのインセンティブを提供するための方法。
【請求項３８】
電子作品のワイヤレス・ブロードキャスト配布経路と前記ワイヤレス・ブロードキャスト配布経路に沿った前記電子作品の受信側による応答を追跡するための配布クッキーとともに第１のプレーヤに前記電子作品を配布するステップと、
前記ワイヤレス・ブロードキャスト配布経路に沿って前記電子作品のワイヤレス・ブロードキャストを受信した少なくとも１つのプレーヤから前記配布クッキーを検索するステップと、
前記配布クッキーを分析して、前記電子作品の配布率、前記電子作品の配布領域、前記電子作品の前記受信側によるレーティングからの前記電子作品に関するレーティング平均、前記電子作品の前記受信側のいずれかにより前記配布クッキーに付加されたレビューに関するレーティング、前記電子作品の前記受信側のいずれかによって行われた前記電子作品の購入のうちの少なくとも１つを決定するステップと、
を有する、ワイヤレスでブロードキャストされた電子作品に対する応答を追跡するための方法。
【請求項３９】
前記配布クッキーの前記分析に基づいて、前記電子作品の前記受信側にとって使用可能な前記電子作品を購入するための電子クーポンの価格を調整するステップ
をさらに有する、ワイヤレスでブロードキャストされた電子作品に対する応答を追跡するための請求項３８に記載の方法。
【請求項４０】
前記配布クッキーの前記分析を複数の分析加入者に配布するステップ
をさらに有する、ワイヤレスでブロードキャストされた電子作品に対する応答を追跡するための請求項３８に記載の方法。
【請求項４１】
電子作品のワイヤレス・ブロードキャスト配布経路と前記電子作品のレビューに対する前記電子作品の受信側による応答を追跡するための配布クッキーとともに第１のプレーヤに前記電子作品を配布するステップであって、前記受信側の１つが前記電子作品の前記レビューを前記配布クッキーに追加するステップと、
前記ワイヤレス・ブロードキャスト配布経路に沿って前記電子作品のワイヤレス・ブロードキャストを受信した少なくとも１つのプレーヤから前記配布クッキーを検索するステップと、
前記配布クッキーを分析して、前記受信側による前記電子作品の前記レビューに関するレビュー・レーティングを決定するステップと、
前記レビューが前記電子作品の有利なレベルの配布に貢献した場合に前記レビューを追加した前記受信側の前記１つを補償するステップと、
を有する、ワイヤレスでブロードキャストされた電子作品をレビューするためのインセンティブを提供するための方法。
【発明の詳細な説明】
【技術分野】
【０００１】
本発明は、一般に、改良されたブロードキャスト・システム（broadcasting system）に関し、特に、ローカルにブロードキャストされた電子作品（electronic work）のための改良された追跡システム（tracking system）に関する。より詳細には、本発明は、電子作品のための有利な市場を決定し、電子作品の配布を受信した人と電子作品を配布した人に電子作品の購入のためのインセンティブ（incentive）を提供するために、電子作品の配布を追跡することに関する。
【背景技術】
【０００２】
ポータブル・コンピュータ・システムの技術的進歩により、電子形式の著作権保護可能な（copyrightable）作品の表示およびオーディオ出力が可能になる。このような電子作品としては、音楽、フィルム、ビデオ、書籍を含むが、これらに限定されない。この技術的進歩は、たとえば、音楽およびビデオを再生する電子装置のタイプを拡張し続ける。さらに、技術的進歩は、音楽およびビデオをカプセル化する新しい方法と、音楽およびビデオを配布する新しい方法を提供している。
【０００３】
特に、電子作品を再生する装置における進歩の１つは、ＭＰＥＧ−１  Ｌａｙｅｒ３（ＭＰ３）およびその他のタイプの電子圧縮ファイル・フォーマットから音楽を再生するポータブル電子装置の進歩である。ＭＰ３ファイルは概してメモリ・サイズが小さく、したがって、ポータブル電子装置での保管および再生に理想的なものである。さらに、ＭＰ３およびその他のタイプの電子フォーマットのライセンス作品（licensed work）は、有線または無線ネットワークを介してある装置から他の装置に容易に転送可能である場合が多い。さらに、音楽ファイルは、ある種の随時無線システム（ad-hoc radio system）を作成して、あるポータブル装置から他のポータブル装置にストリーミングすることができる。
【０００４】
ユーザ間の電子作品の共用が急増しているので、ユーザは適切なライセンスなしで電子作品のコピーを受信する場合が多い。場合によっては、受信側が適切なライセンス交付を取得するつもりがないこともある。しかし、その他の場合には、受信側は、電子作品を試用して、その作品を購入したいかどうかを決定するためにその作品のコピーを取得する。したがって、電子作品に対する適切なライセンス交付を購入するためのインセンティブを電子作品のブロードキャスト・コピーの受信側に提供することは有利なことになるであろう。
【０００５】
さらに、電子作品の適切にライセンス交付されたコピーを購入するよう消費者を説得することは重要な目標であるが、電子作品の作者またはミュージシャンをプロモートするための市場を選択することも重要である。電子作品のコピーをウェブ・サイトからダウンロードする場合、その電子作品のダウンロードの回数をモニターすることができ、電子作品をダウンロードした人の場所に基づいて、電子作品のプロモーションのためのターゲット市場を決定することができる。しかし、電子作品をあるプレーヤから他のプレーヤにローカルにブロードキャストする場合、現在、電子作品が「ホット（hot）」と見なされるターゲット市場を決定するためのモニター・ツールはまったく存在しない。たとえば、ある人が新曲をダウンロードし、その曲を１０台の他のプレーヤにワイヤレスでブロードキャストし、その１０台のプレーヤがその曲のコピーを保管し、次にそれぞれのプレーヤがその曲を１０台の他のプレーヤにワイヤレスでブロードキャストし、以下同様に行われる場合、現在、ある曲が特定の市場で「ホット」になったことをモニターする方法はまったく存在しない。したがって、電子作品がダウンロードされた時期をモニターし、ブロードキャストの場所、ブロードキャストの時間、ブロードキャストされた電子作品に関する受信側のレーティング（rating）、ブロードキャストされた電子作品の他の人のレビューに関する受信側のレーティング、プレーヤがインターネットに接続されたときに統計サーバによってアクセスされるその他の情報を追跡することは有利なことになるであろう。さらに、他のプレーヤに対する電子作品のローカル・ブロードキャストと、電子作品の適切にフォローされたレビューにより、電子作品を本質的にプロモートするユーザを補償するために、電子作品の配布経路（distribution path）をモニターすることは有利なことになるであろう。
【０００６】
したがって、電子作品の受信側を追跡することができ、電子作品を購入するように受信側にインセンティブを提供することができ、電子作品を配布する人にインセンティブを提供することができ、プロモーションのために電子作品のローカル・ブロードキャストに関する統計を収集できるように、電子作品、特に、ローカルにブロードキャストされた電子作品に追跡メカニズムを付加する必要があることは明らかである。
【発明の開示】
【発明が解決しようとする課題】
【０００７】
上記の説明を考慮して、本発明は、改良されたブロードキャスト・システムを提供する。特に、本発明は、ローカルにブロードキャストされた電子作品のための改良された追跡システムを提供する。さらに、本発明は、電子作品のための有利な市場を決定し、電子作品の配布を受信した人と電子作品を配布した人に電子作品の購入のためのインセンティブを提供するために、電子作品の配布を追跡するための方法、システム、およびプログラムを提供する。
【課題を解決するための手段】
【０００８】
本発明の一態様によれば、第１のプレーヤは電子作品をローカルにブロードキャストする。本発明の一実施形態では、このローカル・ブロードキャストは、随時無線システムを作成するワイヤレス・ブロードキャスト（wireless broadcast）である。第２のプレーヤは、電子作品の局地的ブロードキャスト（localized broadcast）を受信し、電子作品の配布を追跡するために使用する配布クッキー（distribution cookie）を受け入れる。第２のプレーヤは、電子作品のブロードキャストに関する情報で配布クッキーを更新する。次に、第２のプレーヤは、統計サーバ（statistics server）へのネットワーク接続の検出に応答して、統計サーバに配布クッキーを提供し、その統計サーバで電子作品の局地的ブロードキャスト配布が追跡され分析される。
【０００９】
電子作品および配布クッキーとともに、電子作品の再生に関する規則を第１のプレーヤから第２のプレーヤに転送することができる。再生に関する規則では、再生を許可する前に第２のプレーヤで配布クッキーを受け入れるよう第２のプレーヤの受信側に要求することができる。
【００１０】
第１のプレーヤおよび第２のプレーヤはそれぞれ、ワイヤレス・ブロードキャストの送信者（sender）および受信者（receiver）として機能することができる。したがって、第１のプレーヤは最初に、他のプレーヤからの電子作品のブロードキャスト中に他のプレーヤから配布クッキーを受信することができる。別法として、第１のプレーヤは最初に、電子作品を配布する配布サーバ（distribution server）から配布クッキーを受信することもできる。配布クッキーは、配布サーバＩＤ（distribution server identifier）、購入ＩＤ（purchase identification）、購入者ＩＤ（purchaser identification）、購入時間、購入場所、電子作品の配布のためのインセンティブ、電子作品の購入のためのインセンティブを含むがこれらに限定されないデータにより、配布経路および電子作品に対する応答を有利に識別する。したがって、第１のプレーヤから第２のプレーヤに配布クッキーが渡される場合、配布クッキー内の配布経路情報の更新に加えて、第２のプレーヤは好ましくは、第２のプレーヤの受信側による電子作品に対する応答で配布クッキーを更新し、応答は、電子作品の購入、電子作品に関するレーティング、電子作品に対するコメントに関するレーティング、電子作品のブロードキャストを含むことができるが、これらに限定されない。特に、ある装置から他の装置に配布クッキーが渡される場合、第１のプレーヤ上に位置する配布クッキーのコピーが第２のプレーヤに渡される。
【００１１】
本発明の他の態様によれば、第２のプレーヤは、受信者として動作する場合、ブロードキャストされた電子作品を保管し、後で送信者として機能して、電子作品をブロードキャストし、ブロードキャストされた電子作品および配布クッキーを受信できるようになっているもう１組のプレーヤに配布クッキーを転送することができる。
【００１２】
配布クッキーを受信する統計サーバは好ましくは、複数のプレーヤから配布クッキーを受信する。統計サーバは、受信した配布クッキーを分析して、配布を追跡し、電子作品の配布率（rate of distribution）、電子作品が好意的に受信されるマーケティング・エリア（marketing area）、電子作品の購入率（purchaserate）および購入履歴、電子作品に対する現行レーティング応答、電子作品に関する少なくとも１つのコメントに対する現行レーティング応答を含むがこれらに限定されない、配布に関する統計を決定する。
【００１３】
本発明に特有と思われる新規な特徴は特許請求の範囲に示されている。しかし、本発明そのもの、ならびにその好ましい使用態様、他の目的、および利点については、添付図面に併せて読んだときに、以下に示す例示的な一実施形態の詳細説明を参照することによって最も良く理解されるであろう。
【発明を実施するための最良の形態】
【００１４】
次に図面、特に図１を参照すると、本方法、システム、およびプログラムを実現可能なコンピューティング・システムの一実施形態が示されている。本発明は、いくつかの異なるオペレーティング・システム下の様々なコンピューティング・システムおよび電子装置を含む様々なシステムで実行することができる。一般に、本発明は、コンピュータ・システムまたは電子装置にとってアクセス可能な記憶装置内のデータの操作などのコンピューティング・タスクを実行するコンピュータ・システムまたは電子装置内で実行される。加えて、コンピュータ・システムは、少なくとも１つの出力装置と少なくとも１つの入力装置とを含む。
【００１５】
コンピュータ・システム１００は、コンピュータ・システム１００内で情報を通信するためのバス１２２またはその他の通信装置と、情報を処理するためにバス１２２に結合されたプロセッサ１１２などの少なくとも１つの処理装置とを含む。バス１２２は好ましくは、ブリッジおよびアダプタによって接続され、複数のバス・コントローラによってコンピュータ・システム１００内で制御される低待ち時間経路および高待ち時間経路を含む。サーバ・システムとして実現された場合、コンピュータ・システム１００は概して、ネットワーク・サービス能力を改善するように設計された複数のプロセッサを含む。
【００１６】
プロセッサ１１２は、通常動作中に、ランダム・アクセス・メモリ（ＲＡＭ）１１４などの動的記憶装置および読取り専用メモリ（ＲＯＭ）１１６などの静的記憶装置からアクセス可能なオペレーティング・システムおよびアプリケーション・ソフトウェアの制御下でデータを処理するＩＢＭのＰｏｗｅｒＰＣ（商標）プロセッサなどの汎用プロセッサにすることができる。オペレーティング・システムは好ましくは、ユーザに対しグラフィカル・ユーザ・インターフェース（ＧＵＩ）を提供する。好ましい一実施形態では、アプリケーション・ソフトウェアは、プロセッサ１１２上で実行されたときに、図１４、図１５、図１６、図１７の流れ図に示されている動作および本明細書に記載されているその他の動作を実行する機械実行可能命令を含む。別法として、本発明の諸ステップは、諸ステップを実行するためのハードワイヤード・ロジックを含む特定ハードウェア・コンポーネントによるか、またはプログラム化コンピュータ・コンポーネントとカスタム・ハードウェア・コンポーネントの任意の組み合わせによって実行することができる。
【００１７】
本発明は、本発明によるプロセスを実行するようにコンピュータ・システム１００をプログラミングするために使用される機械実行可能命令をそこに保管している機械可読媒体上に含まれるコンピュータ・プログラム記録媒体として提供することができる。本明細書で使用する「機械可読媒体」という用語は、実行のためにコンピュータ・システム１００のプロセッサ１１２またはその他のコンポーネントへの命令の提供に関与する任意の媒体を含む。このような媒体は、不揮発性媒体、揮発性媒体、伝送媒体を含むがこれらに限定されない多くの形を取ることができる。不揮発性媒体の一般的な形としては、たとえば、フロッピー・ディスク（Ｒ）、フレキシブル・ディスク、ハード・ディスク、磁気テープまたは任意のその他の磁気媒体、コンパクト・ディスクＲＯＭ（ＣＤ−ＲＯＭ）または任意のその他の光媒体、パンチ・カードまたはホール・パターン付きの任意のその他の物理媒体、プログラマブルＲＯＭ（ＰＲＯＭ）、消去可能ＰＲＯＭ（ＥＰＲＯＭ）、電気的ＥＰＲＯＭ（ＥＥＰＲＯＭ）、フラッシュ・メモリ、任意のその他のメモリ・チップまたはカートリッジ、あるいはそこからコンピュータ・システム１００が読み取ることができ、命令の保管に適した任意のその他の媒体を含む。この実施形態では、不揮発性媒体の一例は、図示した通り、コンピュータ・システム１００の内部コンポーネントである大容量記憶装置１１８であるが、外部装置によって提供されるものであることも理解されるであろう。揮発性媒体としては、ＲＡＭ１１４などの動的メモリを含む。伝送媒体としては、バス１２２を有するワイヤを含む、同軸ケーブル、銅線、または光ファイバを含む。また、伝送媒体は、無線周波通信または赤外線データ通信中に生成されるものなどの音波または光波の形を取ることもできる。
【００１８】
その上、本発明はコンピュータ・プログラム記録媒体としてダウンロードすることができ、その場合、プログラム命令は、バス１２２に結合された通信インターフェース１３２へのネットワーク・リンク１３４（たとえば、モデムまたはネットワーク接続）を介して、搬送波またはその他の伝搬媒体で実施されたデータ信号により、サーバ１４０などのリモート・コンピュータから要求側コンピュータ・システム１００に転送することができる。通信インターフェース１３２は、たとえば、ネットワーク１０２へのアクセスを可能にするローカル・エリア・ネットワーク（ＬＡＮ）、広域ネットワーク（ＷＡＮ）、またはインターネット・サービス・プロバイダ（ＩＳＰ）に接続可能なネットワーク・リンク１３４に結合する両方向データ通信を提供する。特に、ネットワーク・リンク１３４は、ネットワーク１０２などの１つまたは複数のネットワークへの有線および／または無線ネットワーク通信を提供することができる。
【００１９】
ネットワーク１０２は、相互に通信するために、伝送制御プロトコル（ＴＣＰ）およびインターネット・プロトコル（ＩＰ）などの特定のプロトコルを使用するネットワークおよびゲートウェイの世界的な集合を指すことができる。ネットワーク１０２は、ディジタル・データ・ストリームを運搬する電気信号、電磁信号、または光学信号を使用する。様々なネットワークを通る信号と、ネットワーク・リンク１３４上および通信インターフェース１３２を通る信号は、コンピュータ・システム１００との間でディジタル・データを運搬するものであり、情報を移送する搬送波の例示的な形である。
【００２０】
サーバ・システムとして実現された場合、コンピュータ・システム１００は概して、入出力コントローラに接続された複数の周辺装置相互接続（ＰＣＩ：peripheral component interconnect）バス・ブリッジを介してアクセス可能な複数の通信インターフェースを含む。このように、コンピュータ・システム１００により、複数のネットワーク・コンピュータへの接続が可能になる。
【００２１】
さらに、複数の周辺コンポーネントをコンピュータ・システム１００に追加し、複数レベルのバス１２２の１つに結合された複数のコントローラ、アダプタ、および拡張スロットに接続することができる。たとえば、ポータブル・プレーヤとして実現された場合、ワイヤレス伝送を制御するためにバス１２２上でワイヤレス・トランシーバ１２９を接続的に使用可能にすることができる。ワイヤレス・トランシーバ１２９は、新しい遠隔当事者（remote parties）がないかを確かめるために事前プログラミングした公衆チャネル（pre-programmed public channel）を絶えず聴取し、公衆チャネル上でデータおよびメッセージを送受信する。ワイヤレス・トランシーバ１２９は、Ｂｌｕｅｔｏｏｔｈ、８０２．１１、またはＤｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ（ＤＥＣＴ）などであるがこれらに限定されない任意の近距離無線技術によって実現することができる。オーディオ出力１２８は、スピーカ、ヘッドホン、またはその他のオーディオ・プロジェクション装置（audio projection device）によるオーディオ出力を制御するためにバス１２２上で接続的に使用可能になる。ディスプレイ１２４も、視覚、触覚、またはその他のグラフィカル表現フォーマットを提供するためにバス１２２上で接続的に使用可能になる。キーボード１２６と、マウス、トラックボール、またはカーソル方向キーなどのカーソル制御装置１３０は、コンピュータ・システム１００へのユーザ入力のためのインターフェースとしてバス１２２上で接続的に使用可能になる。本発明の代替実施形態では、追加の入力および出力周辺コンポーネントを追加することができる。
【００２２】
当業者であれば、図１に図示したハードウェアが様々になる可能性があることが分かるであろう。さらに、当業者であれば、図示した例が本発明に関するアーキテクチャ上の制限を暗示するものではないことが分かるであろう。
【００２３】
コンピュータ・システム１００の機能性は、サーバからポータブル・プレーヤまでのデータ処理システムで実現することができる。ポータブル・プレーヤは、電子作品を効率よく受信し、保管し、再生するように調整されたコンピュータ・システムにすることができる。ポータブル・プレーヤの例としては、ＭＰ３プレーヤ、ポータブルＤＶＤプレーヤ、電子ブック（ｅブック（ebook））再生装置、および特定のタイプの電子作品の再生のために指定されたその他の装置を含むが、これらに限定されない。また、ポータブル・プレーヤは、無線電話および携帯情報端末などのその他のタイプのポータブル・コンピュータ・システムに組み込むこともできる。
【００２４】
次に図２を参照すると、ブロック図は、本発明の方法、システム、およびプログラムによる電子作品ライセンス交付、配布、および追跡システムを容易にするための分散ネットワーク・システムを示している。分散システム２００は、本発明を実現可能な複数コンピュータからなるネットワークである。分散システム２００はネットワーク１０２を含み、このネットワークは、分散システム２００内で一緒に接続された様々な装置およびコンピュータ間の通信リンクを提供するために使用される媒体である。ネットワーク１０２は、ワイヤまたは光ファイバ・ケーブルなどの永続的接続と、電話接続およびワイヤレス伝送接続によって行われる一時的接続とを含むことができる。
【００２５】
分散システム２００のクライアント／サーバ環境は、ネットワーク１０２に通信可能に接続された複数のクライアント・プレーヤ２０８および２１０を含む。加えて、ネットワーク１０２に通信可能に接続されたディジタルＤＪサーバ２０４およびライセンス電子作品配布サーバ２０６などの複数のサーバが存在する。
【００２６】
分散システム２００のクライアント／サーバ環境は、多くのネットワーク・アーキテクチャ内で実現される。たとえば、ワールド・ワイド・ウェブ（ウェブ）のアーキテクチャは従来のクライアント／サーバ・モデル環境を踏襲したものである。「クライアント」および「サーバ」という用語は、データのリクエスタ（クライアント）またはデータのプロバイダ（サーバ）としてのコンピュータの一般的な役割を指すために使用する。ウェブ環境では、Ｎｅｔｓｃａｐｅ  Ｎａｖｉｇａｔｏｒ（商標）などのウェブ・ブラウザは概して、クライアント・プレーヤ２０８および２１０上に存在し、サーバ２０４、２０５、および２０６などのウェブ・サーバによって供されるウェブ・ドキュメント（ページ）を提供する。追加として、クライアント・プレーヤ２０８および２１０とサーバ２０４、２０５、および２０６のそれぞれは、「クライアント」のみならず「サーバ」としても機能することができ、図１のコンピュータ・システム１００などのコンピュータ・システムを使用して実現することができる。さらに、本発明は、ネットワーク１０２を介してピアツーピア・ネットワーク通信およびダウンロードに従事するクライアント・プレーヤ２０８および２１０でも実現される。
【００２７】
ウェブは、世界中のサーバ上に存在するインターリンクされたハイパーテキスト・ドキュメントの全集合を指す場合もある。インターネットなどのネットワーク１０２は、ネットワーク１０２に接続されたシステム間でこのようなハイパーテキスト・ドキュメントを伝送するためのインフラストラクチャを提供する。ウェブ上のドキュメント（ページ）は、ハイパーテキスト・マークアップ言語（ＨＴＭＬ：Hypertext Markup Language）または拡張マークアップ言語（ＸＭＬ：Extensible Markup Language）などの複数の言語で作成し、サーバ２０５などの複数サーバから特定のウェブ・ページ・サーバを指定するユニフォーム・リソース・ロケータ（ＵＲＬ：Uniform Resource Locator）と、それによりファイルにアクセスすることができるパス名によって識別し、ハイパーテキスト転送プロトコル（ＨＴＴＰ：Hypertext Transfer Protocol）またはファイル転送プロトコル（ＦＴＰ：file-transfer protocol）などのプロトコルを使用して特定のウェブ・ページ・サーバからエンド・ユーザに伝送することができる。ウェブ・ページは、テキスト、グラフィック・イメージ（graphic image）、ムービー・ファイル（moviefile）、電子ブック、サウンド・ファイル（soundfile）、ストリーミング・オーディオ（streamingaudio）、ならびにリンクをクリックすることによってユーザが起動したときに実行されるＪａｖａ（Ｒ）アプレットおよびその他の小さい埋込みソフトウェア・プログラムをさらに含むことができる。
【００２８】
インターネットに関連してネットワーク１０２について説明するが、ネットワーク１０２は、イントラネットまたはピアツーピア・ネットワークを含むその他の使用可能なネットワーク内でも稼働することができる。さらに、クライアント・プレーヤ２０８および２１０は、ネットワーク１０２およびクライアント・プレーヤ２０８および２１０によりアクセス可能なサーバ間で情報を転送するためのポートとして動作するデータ処理システムによりネットワーク１０２に接続することができる。追加として、クライアント・プレーヤ２０８および２１０は好ましくは、図３にさらに記載する通り、ローカル・ワイヤレス・ネットワーク内で通信することができる。このローカル・ワイヤレス・ネットワークは、クライアント・プレーヤ２０８および２１０が相互のワイヤレス・ブロードキャスト範囲内にあるときに作成されるので、概して「随時」と見なされる。
【００２９】
クライアント・プレーヤ２０８および２１０は、ローカル・ワイヤレス・ブロードキャストにより相互の電子作品を受信し、再生し、保管できるようになっているコンピュータ・システムである。特に、クライアント・プレーヤ２０８および２１０のそれぞれで受信される電子作品に付加されたＤＲＭ規則は、電子作品の再生および保管を制御することができる。ＤＲＭ規則では、クライアント・プレーヤ２０８または２１０が電子作品を再生または保管できるようになる前に、まず配布クッキーの受信に同意するよう受信側に要求することができる。配布クッキーは好ましくは、電子作品の配布と、電子作品に対する受信側の応答を追跡する。クライアント・プレーヤ２０８および２１０は、ＤＲＭ規則に指定されたデータ値に応じて配布クッキーを更新するよう要求される。次に、クライアント・プレーヤ２０８または２１０のいずれか一方がネットワーク１０２に接続すると、ＤＲＭ規則は、そのネットワーク場所が配布クッキーにアクセスするために使用可能になるように、プレーヤをトリガしてネットワーク１０２を介してアクセス可能な特定の場所に接触させる。この例では、配布クッキーは統計サーバ２２０によってアクセスされるが、代替実施形態では、ネットワーク１０２からアクセス可能な他の場所をトリガして配布クッキーにアクセスすることもできる。
【００３０】
さらに、上記の通り、クライアント・プレーヤ２０８および２１０はポータブルであり、ローカル・ワイヤレス・ネットワークの範囲内でワイヤレス伝送を送受信できるようになっている。しかし、代替実施形態では、クライアント・プレーヤ２０８および２１０のいずれか一方が静止型と見なされる場合もある。
【００３１】
複数範囲のワイヤレス伝送能力を単一クライアント・プレーヤ内で実現することができる。たとえば、近距離無線技術であるＢｌｕｅｔｏｏｔｈと、中距離無線技術である８０２．１１は、複数範囲のワイヤレス伝送を使用可能にするために単一クライアント・プレーヤ内で実現することができる。特に、電子作品に付加されたＤＲＭ規則は電子作品のブロードキャストのために好ましい受信範囲および送信範囲を指定することができ、ＤＲＭ規則は電子作品のブロードキャストに使用可能なネットワークのタイプを制限することができる。たとえば、ＤＲＭ規則では、電子作品がケーブルのみによるか、Ｂｌｕｅｔｏｏｔｈのみによるか、または設定数の同時接続を可能にするピアツーピア・ネットワークにより伝送可能であることを指定することができる。ワイヤレスでブロードキャストされた電子作品に重点を置いて本発明を説明するが、電子作品はクライアント・プレーヤ２０８およびクライアント・プレーヤ２１０からケーブル付きネットワーク接続を介してローカルにブロードキャストすることもできることに留意することは重要なことである。ローカル・ブロードキャストは、特定の物理的エリアまたはネットワーク・エリア内に位置するプレーヤにとってアクセス可能なものである。
【００３２】
ディジタルＤＪサーバ２０４は、クライアント・プレーヤ２０８および２１０間で再生するための電子作品を選択するためのサービスを提供する。ディジタルＤＪサーバ２０４は、クライアント・プレーヤ２０８および２１０で受信側によって行われた電子作品に関する前のレーティングを追跡することができる。一実施形態によれば、ディジタルＤＪ２０４は、配布クッキーにアクセスして、電子作品に関する前のレーティングを追跡することができる。さらに、ディジタルＤＪ２０４は、統計サーバ２２０からの配布クッキーに関する統計分析にアクセスして、特定のエリア内のその配布率に基づいて現在「ホット」と見なされている電子作品から次にどの電子作品を再生するかを決定することができる。次に、ディジタルＤＪサーバ２０４は、現在クライアント・プレーヤ２０８または２１０上に存在する電子作品から次にどの電子作品を再生するかを決定することができる。別法として、ディジタルＤＪサーバ２０４は、現在ディジタルＤＪサーバ２０４に存在する電子作品から次にどの電子作品を再生するかを決定することもできる。ディジタルＤＪサーバ２０４のこの機能性は、クライアント・プレーヤ２０８および２１０内にも存在することができる。
【００３３】
ライセンス電子作品配布サーバ２０６は、付加されたＤＲＭ規則の形のライセンスとともに電子作品を販売するためのサービスを提供する。さらに、ライセンス電子作品配布サーバ２０６は、ライセンスおよびライセンス電子作品の使用を追跡するためのサービスを提供する。ユーザは、電子作品およびライセンスまたはすでに保管されている電子作品に対するライセンスのみを取得するためにＩＤを登録するかまたは支払を行うよう要求される可能性がある。一実施形態によれば、ユーザによる電子作品の配布が追跡され、以降の購入のためにクーポンまたは割戻しがユーザに与えられるので、電子作品の購入とともにＩＤを登録するためのインセンティブをユーザに提供することができる。ユーザが受け取るクーポンおよび割戻しのタイプは、ユーザから電子作品のブロードキャストを受信する人によってどのくらいの購入が行われるかに基づいて、調整することができる。ユーザがワイヤレス・ブロードキャストから電子作品の不完全バージョンを試用する場合、ＤＲＭ規則は、その電子作品の完全バージョンを取得するためにライセンス電子作品配布サーバ２０６へのリンクを含むことができる。
【００３４】
ライセンスは好ましくはＤＲＭ規則の形で電子作品に付加される。このようなＤＲＭ規則により、電子作品を購入したユーザはその電子作品のサンプルを他の電子装置にワイヤレスで伝送することができる可能性がある。たとえば、クライアント・プレーヤ２０８のユーザが購入した曲は、クライアント・プレーヤ２１０へのその曲のブロードキャストを可能にするＤＲＭ規則を含むことができる。追加として、ＤＲＭ規則は、好ましくは電子作品のサンプルの許可使用を制限し、したがって、電子作品のブロードキャストとともに伝送される。しかし、ＤＲＭ規則またはその他のライセンス交付規則がクライアント・プレーヤ２０８または２１０で受信する電子作品に付加されない場合、クライアント・プレーヤは、電子作品を再生できるようになる前に、ライセンス電子作品配布サーバ２０６による電子作品に対するライセンス交付を取得するための要求を開始することができる。
【００３５】
各電子作品とともにＤＲＭ規則を転送することに加えて、他の情報も転送される。特に、配布クッキーは追跡メカニズムとして各電子作品に付加される。表１は、配布クッキーに含めることができるタイプの項目の例を示している。好ましくは、配布クッキーは最初に、配布者（distributor）の名前と、購入のためのＩＤと、ライセンス配布者（licensed distributor）からの電子作品の購入者（purchaser）のためのＩＤとを含む。電子作品がプレーヤからプレーヤにブロードキャストされると、各プレーヤは配布クッキーのコピーを受信し、次にそれは、受信側のためのＩＤ、ブロードキャスト時間、ブロードキャスト場所、レーティング応答、および購入履歴で更新される。受信側の場所は、たとえば、プレーヤのＧＰＳ機能またはプレーヤの電話受信側の市外局番によって検出することができる。さらに、受信側の場所は、ブロードキャストされた電子作品をプレーヤで再生するために郵便番号位置を入力するよう受信側にプロンプトで指示することによって検出することができる。
【００３６】
表１
電子作品ＩＤ                    ２０００００００１
配布者                          ｗｗｗ．ｄｉｓｔｒｉｂｕｔｏｒ１．ｃｏｍ
購入ＩＤ                        ０１０１０１０１
購入者ＩＤ                      Ｇｅｏｒｇｅ  Ｓｍｉｔｈ
カウンタ                        １
ブロードキャスト受信側          Ｄｏｎａｌｄ  Ｓｍｉｔｈ
ブロードキャスト時間            １０／２４／０４；  １０：１０：３０
ブロードキャスト場所            テキサス州オースティン
レーティング                    １０のうちの３
コメント２に関するレーティング  １０のうちの１
カウンタ                        ２
ブロードキャスト受信側          Ｓｕｓａｎ  Ｓｍｉｔｈ
ブロードキャスト時間            １０／２４／０４；  １５：１０：３０
ブロードキャスト場所            テキサス州オースティン
購入場所                        ｗｗｗ．ｍｕｓｉｃｓｅｌｌｅｒ１．ｃｏｍ
購入履歴                        １０／２４／０４
カウンタ                        ３
【００３７】
他のプレーヤから配布クッキーとともに電子作品のブロードキャストを受信したクライアント・プレーヤ２０８または２１０がネットワーク１０２に接続すると、統計サーバ２２０は好ましくはプレーヤから配布クッキーを収集する。統計サーバ２２０は、すべての電子作品統計を追跡し、このような統計を配布する単一サーバ・システムにすることができる。別法として、各配布者は、プレーヤがネットワーク１０２または他のネットワークに接続されたときに配布クッキーが収集される統計サーバ２２０またはその他のサーバ位置を確立することができる。
【００３８】
図８に関連してさらに記載する通り、統計サーバ２２０は好ましくは、配布クッキーから検索された情報を保管し分析できるようになっている複数のデータベースおよびコントローラを含む。電子作品の配布率および配布場所を収集することに加えて、統計サーバ２２０は、各受信側が電子作品に対して与えたレーティングと、各受信側が電子作品に付加されたレビュー・コメントに対して与えたレーティングも収集することができる。電子作品の受信側が電子作品に対して有する応答はその電子作品に関する配布クッキーに記録できることが理解されるであろう。
【００３９】
配布クッキーはある装置から他の装置へ渡り、さらにサーバに渡るものとして記載されているが、あるプレーヤに位置する配布クッキー・ファイルのコピーは他のプレーヤまたはサーバに渡すことができることは言うまでもないであると留意することは重要なことである。追加として、従来のクッキーは単にサーバによって読取り可能なデータ・ファイルに過ぎないが、配布クッキーは、ネットワーク接続が検出されたときにサーバとの通信を開始するトリガ装置を含むことができることが理解されるであろう。別法として、クライアント・プレーヤ２０８または２１０は、ネットワーク接続が検出されたときに配布クッキーに指定されたネットワーク場所との通信を自動的にトリガすることができる。
【００４０】
表２に示す通り、配布クッキーから収集された情報はデータベース構造に編成される。表２は、電子作品「２００００００１」の配布から返された配布クッキーのうちのいくつかに関する情報の一例を示している。複数の代替タイプのＩＤを１つの電子作品に使用できることが理解されるであろう。この例では、２つの配布クッキーが領域Ａからログ記録され、１つの配布クッキーが領域Ｂからログ記録される。各配布クッキーからログ記録された配布率は、クッキーを返すプレーヤが電子作品を受信したときに初期プレーヤからクッキーを返すプレーヤに電子作品が配布された回数に基づくものである。配布率を示すためにその他の値をログ記録できることは理解されるであろう。たとえば、配布率は、ブロードキャストの時刻および各ブロードキャストに使用されるネットワーク接続のタイプに分解することができる。
【００４１】
有利なことに、統計サーバ２２０は、配布率に基づいて、特定の領域では「ホット」としてまたは特定の領域では「コールド」として特定の電子作品を指定することができる。たとえば、統計サーバ２２０は、配布クッキーについて収集した情報に基づいて、特定の領域における電子作品に関するアクティビティの増加を示すホット・レーティングを割り当てることができる。この例では、ホット・レーティングは、ある領域内の配布速度に基づいて、正数または負数になる。代替実施形態では、どの電子作品が特定の領域で急速に配布されているかを示すために、その他のタイプのホット・レーティング・システムを実現することができる。さらに、代替実施形態では、ホット・レーティングは、それぞれの受信側によって電子作品に与えられた実際のレーティングと配布率の両方に基づくものにすることができる。追加として、代替実施形態では、特定の電子作品が特定の領域でホットであるかどうかを示すことに加えて、その作品が第１の配布時間または配布ポイントでは不十分に受け入れられ、その後、第２の時間または場所では同じ受信側によって十分に受け入れられたので、その配布時間または配布ポイントは「オフ」であったと決定することができる。その上、本発明では、サーバ・システムはネットワーク１０２を介して配布クッキーにアクセスして分析を実行し、次にその分析が他のシステムに配布されるが、代替の一実施形態では、クライアント・プレーヤ２０８または２１０の一方が配布クッキーにアクセスして分析を実行し、次にその分析を使用して次に再生すべき電子作品を選択することができる。
【００４２】
表２
作品              領域  配布率            ホット・レーティング
２００００００１  Ａ    １０分間に３０回  ＋５
２００００００１  Ａ    ３０分間に５回    ＋１
２００００００１  Ｂ    ４０分間に１回    −１
【００４３】
表３は、ある電子作品の元のプレーヤのためのＩＤと配布に関連する購入を示すいくつかの配布クッキーの分析の一例を示している。有利なことに、配布クッキーは、ブロードキャストされた電子作品について行われる購入を追跡する。その場合、配布クッキーは、元の購入者ＩＤ、新しい購入者ＩＤ、購入日、作品が購入者に届く前にその作品が配布された回数、購入に関するその他の重要な情報を示す。この配布情報に基づいて、元の購入者は、次に電子作品を購入した他の人に電子作品を配布したことについて元の購入者に報いるために、割戻しまたはその他のインセンティブを受け取ることができる。
【００４４】
表３
作品      元のＩＤ      購入者ＩＤ    購入日      配布経路
20000001  George Smith  Susan Smith   10/24/2004  ３
20000001  George Smith  Sally James   10/30/2004  ２０
20000001  George Smith  Tim Jones     11/18/2004  ２
【００４５】
表４は、ブロードキャストされた電子作品について受信側によって行われたレビュア・コメント（reviewer comment）に関するレーティングの分析の一例を示している。好ましくは、電子作品をブロードキャストすることに加えて、電子作品に関するレビュア・コメントを転送することができる。レビュア・コメントとしては、電子作品の購入時に付加される独立レビュアによるコメントと、電子作品があるプレーヤから他のプレーヤにブロードキャストされるときに電子作品の受信側によって行われるコメントを含むことができる。好ましくは、電子作品の受信側は、レビュア・コメントを見たり聞いたりできるようになっており、そのコメントに関するレーティングを行うことができる。したがって、表４は、特定の電子作品のブロードキャストについて複数受信側よってその電子作品の特定のレビュアについて行われたレーティングの組み合わせを示している。特定のレビュアに関するホット・レーティングは、電子作品のブロードキャストについて複数受信側によって提供されるレーティングに依存する統計サーバ２２０によって割り当てることができる。ホット・レーティングは、特定の期間にわたる配布チェーン内の肯定的レビューの数に等しいレビュア推奨深さ（reviewer recommendation depth）を表す。たとえば、ライセンス電子作品配布サーバ２０６は、レビュア・ホット・レーティングを使用して、良好なホット・レーティングが付いたレビュアによるレビュー・コメントを電子作品の新しい購入に付加することを決定し、不十分なホット・レーティングが付いたレビュアによるレビュー・コメントを電子作品の新しい購入から切り離すことを決定することができる。
【００４６】
表４
作品      受信側ＩＤ  レビュアＩＤ  レーティング  ホット・レーティング
20000001  03030303    0423          １つ星        −２
20000001  05050505    0423          ５つ星        ３
【００４７】
配布クッキーの分析およびその分析に対する応答の一例では、まず、配布者は、新曲の全時間または一時的ワイヤレス・ブロードキャストを許可するＤＲＭ規則とともに、その曲のコピーを受信する。この第１の配布者は任意選択でその作品をレビューすることができ、そのレビューはユーザのＩＤとともにその曲のための配布クッキーに追加される。さらに、第１の配布者の前のレビューに関するレーティングを、その新曲の現行レビューとともに配布クッキーに追加することができる。第１の配布者は他の既知の上位配布者にその新曲をワイヤレスでブロードキャストし、続いて、その既知の上位配布者は他の人にその新曲をワイヤレスでブロードキャストする。その曲を配布するごとに、好ましくは送信者および受信側のＩＤは、同じくその新曲とともに配布される配布クッキー内で更新される。さらに、その曲を配布するごとに、好ましくは受信側は、その曲に関するレーティングを行い、第１の配布者およびその他の受信側によって作成されたレビューに関するレーティングを行う。その新曲について配布クッキーが収集されると、その曲が急速に配布され、高いレーティングが行われた市場を決定し、それを元の供給者に返すことができる。さらに、新曲とともに配布されたレビューのうち、最も十分に受け入れられ、有力なものであったレビューを決定し、それを元の供給者に返すことができる。次に、元の供給者は、レビューに対する追跡可能応答のために受信側によって行われた購入、レビュー・レーティングの質、配布までの時間、届けられたユーザの全体量（bulk quantity）、およびその他の基準に基づいて、新曲の配布者に支払または電子クーポンを配布することができる。
【００４８】
配布クッキーの分析およびその分析に対する応答のもう１つの例では、統計サーバ２２０は、受信側がレーティングを行った電子作品の数をモニターすることができる。所与の数の曲に関するレーティングを行うために、電子クーポンまたはその他のインセンティブを受信側に与えることができる。たとえば、ワイヤレスでブロードキャストされた曲の受信側が４０曲に関するレーティングを行った後、前のレーティングに基づいて受信側のプリファレンス（preference）を満たすために予想した電子作品の限定ライセンス・サンプルをその受信側に提供することができる。追加として、その受信側向けの曲の再生リストをディジタルＤＪサーバ２０４によって指定し、それを受信側のブロードキャスト範囲内にあるプレーヤまたは受信側に配布することができる。
【００４９】
次に図３を参照すると、本発明の方法、システム、およびプログラムによるローカル・ワイヤレス・ネットワーク・ブロードキャストのブロック図が示されている。図２に図示したクライアント・プレーヤの通り、これらのプレーヤの１つは、ローカル・ワイヤレス・ネットワーク用の１次プレーヤ（primary player）３００などの１次プレーヤとして指定することができる。複数のプレーヤが電子作品を提供することによって１次プレーヤとしての指定を争う場合もあれば、１つのプレーヤが自動的に１次プレーヤとして指定される場合もある。さらに、１つのプレーヤがある電子作品のワイヤレス・ブロードキャストを受信した後で、そのプレーヤが新しいブロードキャスト・エリアに移動し、その新しいブロードキャスト・エリア内でその電子作品に関する１次プレーヤになる場合もある。複数プレーヤからなるワイヤレス・ネットワークについて説明するが、代替の一実施形態では、ケーブルまたは有線ネットワーク接続を介して複数プレーヤを接続することもできることに留意することは重要なことである。
【００５０】
一例では、１次プレーヤ３００は、ワイヤレスで通信できるようになっている２次プレーヤ（secondary player）を探してサーチする。１次プレーヤ３００は、ワイヤレス・ブロードキャスト・エリア３０２によって指定された範囲内でワイヤレスで通信できるようになっている。１次プレーヤ３００がワイヤレス・ブロードキャスト・エリア３０２内で２次プレーヤ３０４および３０６などの他のプレーヤを検出すると、１次プレーヤ３００はローカル・ワイヤレス・ネットワークを確立することができる。ローカル・ワイヤレス・ネットワーク内では、１次プレーヤ３００は、サンプル電子作品として１次プレーヤ３００上で再生されている電子作品をワイヤレスでストリーミングすることができる。好ましくは、ストリーミングされた電子作品に関連するＤＲＭ規則およびコンテキストもブロードキャストされる。追加として、配布クッキーは好ましくは電子作品とともにストリーミングされる。１次プレーヤ３００はこの例では送信者として図示されているが、代替実施形態では、１次プレーヤ３００は電子作品のワイヤレス・ブロードキャストを受信するときに受信側になる可能性があることに留意することは重要なことである。加えて、２次プレーヤ３０４および３０６はこの例では受信側として図示されているが、代替実施形態では、２次プレーヤ３０４および３０６は電子作品をブロードキャストするときに送信者になる可能性があることに留意することは重要なことである。
【００５１】
１次プレーヤ３００上で再生しているときに電子作品をストリーミングすることの利点は、２次プレーヤ３０４および３０６での同期再生が可能であることである。しかし、再生しているときに電子作品をストリーミングすることに加えて、サンプル電子作品全体を１つのデータ・ファイルとして１次プレーヤ３００から２次プレーヤ３０４および３０６にワイヤレスで伝送することができる。
【００５２】
代替の一例では、１次プレーヤ３００は１次プレーヤ３００上で再生している現行電子作品のワイヤレス・ブロードキャスト・エリア３０２内で絶えずストリームをブロードキャストしている。２次プレーヤ３０４および３０６などのプレーヤがワイヤレス・ネットワーク・エリア内にある場合、ブロードキャスト・ストリームが２次プレーヤで受信される。たとえば、１次プレーヤ３００は、あるストアまたはその他の定義済みエリアに入る２次プレーヤに対し、そのストアまたはその他の定義済みエリア内でワイヤレスにブロードキャストする静止型プレーヤにすることができる。他の例では、１次プレーヤ３００は、その現在場所からワイヤレスでブロードキャストするポータブル・プレーヤにすることができ、したがって、それが移動するときに随時ローカル・ワイヤレス・ネットワーク・エリアを作成する。
【００５３】
１次プレーヤ３００による電子作品のブロードキャストは、ブロードキャストされている電子作品に付加されたＤＲＭ規則によって制御することができる。特に、ＤＲＭ規則は、送受信範囲および伝送媒体に関するプリファレンスまたは制限を指定することができる。好ましくは、範囲検出を容易にするために、ワイヤレスおよびケーブル付きフィードバック・システムが１次プレーヤ３００と２次プレーヤ３０４および３０６に含まれる。
【００５４】
本発明の利点の１つによれば、ＤＲＭ規則では、電子作品のブロードキャストともに配布クッキーを受信するようブロードキャストの受信側に要求することができる。その場合、配布クッキーは、電子作品の配布に関する情報と、電子作品に関する受信側の応答を追跡する。
【００５５】
１次プレーヤ３００によってブロードキャストされた電子作品のコンテキストも電子作品とともに伝送することができる。電子作品のコンテキストは一般に、電子作品の履歴、レビュー、および配布経路を含む。たとえば、音楽作品の場合、コンテキストとしては、曲名、アーチスト名（複数も可）、ジャンル、アルバム名、アルバム・タイプ、配布者名、配布者リンク、レーベル名、レーベル・リンク、アーチスト・リンク、レビュア名、レビュア・レーティング、レビュア・テキスト、レビュア推奨深さを含むことができるが、これらに限定されない。ＤＲＭ規則は、電子作品のコンテキストのどの部分をブロードキャストできるかを制御することができる。
【００５６】
２次プレーヤ３０４および３０６は、ストリーミングされた電子作品を受信し、その電子作品を同期再生することができる。追加として、２次プレーヤ３０４および３０６は、後で再生するためにＤＲＭ規則とともにブロードキャスト・ストリームのコピーを保管することができる。２次プレーヤ３０４および３０６が２次プレーヤ３０８の位置などのブロードキャスト・エリア３０２から外へ移動すると、ＤＲＭ規則によって許可される通り、ブロードキャスト・ストリームの保管コピーしか再生できなくなる。
【００５７】
電子作品をブロードキャストする前に、１次プレーヤ３００はユーザ・プリファレンスについて２次プレーヤ３０４および３０６に照会することができる。次に、１次プレーヤ３００は、２次プレーヤ３０４および３０６からのユーザ・プリファレンスと１次プレーヤ３００に関するユーザ・プリファレンスに基づいて、１次プレーヤ３００上に保管された電子作品のうち、次にどの電子作品を再生すべきかを決定することができる。別法として、１次プレーヤ３００は、インターネット接続を介してすべての関連ユーザ・プリファレンスをディジタルＤＪに伝送し、１次プレーヤ３００またはいずれかの２次プレーヤからアクセス可能な現行電子作品から次のブロードキャストに関する奨励を要求することができる。さらに、ディジタルＤＪは、新しい電子作品を推奨し、ライセンス電子作品配布サーバからの作品について１次プレーヤ３００と支払を交渉することができる。
【００５８】
ユーザが２次プレーヤ３０４または３０６でストリーミングされた電子作品を聞いたり見たりすると、そのユーザは好ましくはその電子作品に関するレーティングを行う。レーティングは、プレーヤによって実現されたレーティング・システムからの賛成／不賛成（thumbs up/down）、数字レーティング、英数字レーティング、またはその他の選択を含むがこれらに限定されない複数の形を取ることができる。追加として、ユーザは電子作品をレビューすることができる。レビュアのレビュー・コメントおよびＩＤは、電子作品のコンテキストに追加し、他のプレーヤ間で伝送し、電子作品とともにブロードキャストすることができる。有利なことに、ある電子作品に関するユーザ・レーティングとレビュー・コメントに関するユーザ・レーティングもその電子作品に関連する配布クッキー内で更新することができる。
【００５９】
ユーザがストリーミングされた電子作品に関するレーティングを行うときに、２次プレーヤ３０４などの２次プレーヤが依然として１次プレーヤ３００のブロードキャスト範囲内にある場合、２次プレーヤ３０４は好ましくはブロードキャストされた電子作品に関するレーティングを１次プレーヤ３００に伝送する。次に１次プレーヤ３００は、そのレーティングを使用して、ブロードキャストのために次に選択した電子作品を動的に調整することができる。
【００６０】
次に図４を参照すると、本発明の方法、システム、およびプログラムによる音楽プレーヤのブロック図が示されている。図示した通り、プレーヤ４００は、電子作品を受信し、再生し、保管できるようになっている電子装置内で機能できるコンポーネントの一例を含む。
【００６１】
まず、プレーヤ４００は、ワイヤレス通信を送受信できるようになっているワイヤレス・トランシーバ４０２を含む。ワイヤレス・トランシーバ４０２は、Ｂｌｕｅｔｏｏｔｈ、８０２．１１、およびＤＥＣＴを含むがこれらに限定されない複数タイプのワイヤレス・ブロードキャスト技術を実現することができる。
【００６２】
次に、プレーヤ４００は、あるデータ・ストリームの再生を電子作品の同じデータ・ストリームを再生している他のプレーヤと同期させることができるようになっている再生コントローラ４０８を含む。プレーヤ４００が１次プレーヤのブロードキャスト範囲内にある限り、再生コントローラ４０８は、電子作品の現行データ・ストリームの再生、または１次プレーヤから受信し、前に保管したサンプル電子作品の再生を可能にすることができる。
【００６３】
また、再生コントローラ４０８は好ましくは、電子作品のデータ・ストリームを圧縮し、サンプル作品データベース４０６に保管する。サンプル作品データベース４０６は、ＤＲＭ規則およびコンテキストが付いたストリーミング電子作品から、ＭＰ３などのフォーマットの圧縮ファイルを含む。プレーヤ４００が１次プレーヤのブロードキャスト範囲外にある場合、サンプル作品データベース４０６内の保管サンプル電子作品は再生することができるが、各電子作品ごとのＤＲＭ規則のみに応じて再生することができる。さらに、再生コントローラ４０８は、ライセンス交付権なしに取得された電子作品サンプルの再生を禁止することができる。
【００６４】
また、再生コントローラ４０８は、個人使用のためのライセンスならびに潜在的に他のプレーヤにブロードキャストするためのライセンスとともにプレーヤ４００上にダウンロードされた電子作品の再生も制御する。特に、サンプル作品の再生を制限する規則が付いたサンプル電子作品として、他のプレーヤに電子作品ファイルを転送するかまたは電子作品をブロードキャストするためのライセンスを含む電子作品をダウンロードすることができる。
【００６５】
電子作品があるプレーヤから他のプレーヤにストリーミングされる場合、電子クーポンもブロードキャストすることができる。プレーヤ４００で受信した電子クーポンは電子クーポン・データベース４０９に保管される。電子クーポンは、ブロードキャストされた電子作品の受信側がライセンス電子作品配布サーバから電子作品を購入するかまたはその電子作品に対する追加のライセンス交付権を購入するための割引、割戻し、およびその他のインセンティブを含むことができる。電子クーポンは、配布クッキーに組み込むかまたは独立ファイルにすることができる。
【００６６】
追加として、電子作品があるプレーヤから他のプレーヤにストリーミングされる場合、配布クッキーもブロードキャストすることができる。さらに、電子作品に対するライセンス交付権を取得した場合、配布クッキーを電子作品に付加することができる。プレーヤ４００で受信した配布クッキーは好ましくは配布クッキー・データベース４１６に保管される。プレーヤ４００が統計サーバへのアクセスを可能にするネットワークとのネットワーク接続を検出すると、配布クッキー・データベース４１６内で最近更新された配布クッキーは好ましくは統計サーバおよびその他の指定のネットワーク場所にとってアクセス可能なものになる。
【００６７】
プレーヤ４００上に保管されたプロファイル４０４は好ましくはユーザに関する電子作品プリファレンスを記録する。プロファイル４０４は、プレーヤ４００上に保管された現行電子作品とプレーヤ４００上に保管されたそれぞれの電子作品に対しユーザによって割り当てられたレーティングとのリストを含むことができるが、これに限定されない。追加として、プロファイル４０４は、ユーザによって前に聞いたり見たりされた電子作品とそれぞれに対しユーザによって割り当てられたレーティングとのリストを含むことができるが、これに限定されない。さらに、プロファイル４０４は、あるユーザに関する音楽のスタイル、フィルム、書籍、ミュージシャン、俳優、記録年数（years of recording）、その他のカテゴリのプリファレンスのリストを含むことができるが、これに限定されない。その上、プロファイル４０４は、あるユーザが今後、聞いたり見たりしたいと思われる音楽のタイプ、フィルム、アーチスト、俳優、曲、記録年数のリストを含むことができるが、これに限定されない。有利なことに、配布クッキーは、統計サーバに伝送される前にプロファイル４０４内に保管された情報で更新することができる。
【００６８】
プレーヤ４００は、プロファイル４０４内のデータをローカル・ワイヤレス・ネットワーク内の他のプレーヤに転送することができる。さらに、プレーヤ４００は、ローカル・ワイヤレス・ネットワーク内の他のプレーヤからプロファイルを受信することができる。プレーヤ４００内のマッチング・コントローラ（matching controller）４１０は、ローカル・ワイヤレス・ネットワーク内の他のユーザのプロファイルと、ライセンス作品データベース４１２内でブロードキャストのために使用可能な電子作品のコンテキストとを比較し、他のプレーヤにブロードキャストするためにすべてのリスナのプリファレンスを最も満足する音楽を選択する。数人のユーザのプリファレンスが他のユーザのプリファレンスと一致できない場合、マッチング・コントローラ４１０は、第１のグループのユーザのプリファレンスを満足するものと、第２のグループのユーザのプリファレンスを満足するものとを交互に選択することができる。別法として、現行電子作品に対してプリファレンスの一致が得られない場合、プレーヤ４００は、プリファレンスを一致させる新しい電子作品を取得しようと努めることができる。
【００６９】
追加の利点として、プレーヤ４００からブロードキャストされた電子作品を他のユーザが聞いたり見たりすると、受信側ユーザによるレーティングをプレーヤ４００に返送することができる。次にマッチング・コントローラ４１０は、最近ブロードキャストされた電子作品について報告されたレーティングに基づいて、プレーヤ４００から次にブロードキャストすべき電子作品を動的に調整することができる。
【００７０】
さらに、ワイヤレスでブロードキャストされた作品がプレーヤ４００で受信されると、ユーザはその電子作品に関するレーティングを行うようプロンプトで指示される。次にレーティングは、プロファイル４０４に保管され、配布クッキー内で更新され、そこから電子作品を受信したプレーヤに伝送される。したがって、ユーザによって見たり聞いたりされた電子作品ごとに、ユーザ・プリファレンスは動的に変化する。
【００７１】
購入コントローラ４１４は好ましくは、追加のライセンス交付を取得し、ブロードキャストから電子作品の保管サンプルを登録するために、インターネットまたはその他のネットワーク接続を介してライセンス電子作品配布サーバへのアクセスを開始する。購入のために特定のライセンス電子作品配布サーバを電子作品とともに転送されるＤＲＭ規則に指定することができる。
【００７２】
特に、プレーヤ４００である作品を聞いたり見たりしたことに対する応答としてユーザによって入力された各レーティングごとに、購入コントローラ４１４は、ある電子作品について、その電子作品を購入するようユーザにプロンプトで指示すべき時期を指定するＤＲＭ規則が存在するかどうかを判定する。ネットワーク接続を検出したときにプロンプトで指示することを要求する規則が存在する場合、購入コントローラ４１４は、電子作品ライセンス・サーバまたはライセンス電子作品配布サーバへのネットワーク接続を検出したときにプロンプト指示をトリガする。たとえば、ＤＲＭ規則では、ユーザが賛成で電子作品に関するレーティングを行った場合のみ、その電子作品を購入するようユーザにプロンプトで指示すべきであると指定することができる。このようにして、配布者は、作品を配布することができるが、その作品を受信して好意的なレーティングを与えた人からの購入のみプロンプトで指示することができる。さらに、ＤＲＭ規則では、サンプル作品に対し好意的なレーティングを与えた人は、さらに再生するためにその作品に対する追加のライセンス交付権を購入しなければならないことを要求することができる。
【００７３】
次に図５を参照すると、本発明の方法、システム、およびプログラムにより音楽をブロードキャストする１次プレーヤと音楽を受信する２次プレーヤとの間のワイヤレス通信のブロック図が示されている。図示した通り、１次プレーヤ５００は、参照番号５０４に図示した通り、ＤＲＭ規則、コンテキスト、および配布クッキーが付いたアーチスト４の曲５を選択するマッチング・ユニット（matching unit）５０２を含む。マッチング・ユニット５０２がある電子作品を選択すると、その電子作品に関するコンテキスト・データとＤＲＭ規則が、１次プレーヤのユーザおよび任意のアクセス可能な２次プレーヤのユーザからのユーザ・プリファレンスの選択と突き合わされる。電子作品のコンテキスト・データとしては、曲名、アーチスト名（複数も可）、ジャンル、アルバム名、アルバム・タイプ（たとえば、オリジナルＬＰまたはコンピレーション）、レビュア名、レビュア・レーティング、レビュア・テキスト、レビュア推奨深さを含むことができるが、これらに限定されない。ＤＲＭ規則は、たとえば、電子作品が自由であるかまたは限定ライセンスによって支配されるかを含むことができる。
【００７４】
この実施形態では、音楽作品は、ワイヤレス・トランシーバ５０６によりストリーミングされ、２次プレーヤ５１０のワイヤレス・トランシーバ５１６で受信される。２次プレーヤ５１０は、音楽ストリームの再生を１次プレーヤ５００と同期させ、オーディオ出力装置５２０によるストリームの出力を制御する再生コントローラ５１８を含む。また、音楽ストリームは、音楽再生コントローラ５１８によりサンプル音楽として電子作品サンプル・データベース５１２に保管される。参照番号５１４に図示した通り、ＤＲＭ規則が付いた曲５、アーチスト４のサンプルは、電子作品サンプル・データベース５１２に保管される。図示されていないが、コンテキストも電子作品サンプル・データベース５１２に保管され、配布クッキーは好ましくは配布クッキー・データベースに保管される。ＤＲＭ規則とコンテキストが作品のワイヤレス・ブロードキャストで伝送される本発明を説明するが、代替の一実施形態では、電子作品のみが作品のワイヤレス・ブロードキャストで伝送される。
【００７５】
次に図６を参照すると、本発明の方法、システム、およびプログラムにより２次プレーヤに保管されたサンプル音楽作品のブロック図が示されている。図示した通り、電子作品、この場合はアーチスト４の曲５の保管は、作品情報（work info）６０４と、音楽ストリーム・ファイル６０６と、配布クッキー６１４とを含むことができる。
【００７６】
作品情報６０４は、ＤＲＭ規則６１０とコンテキスト・データ６１２とを含む。ＤＲＭ規則６１０は好ましくは、電子作品の再生と、電子作品のコンテキストの出力を制御する。コンテキスト・データ６１２は好ましくは、その電子作品に関する履歴コンテキストと、配布コンテキストと、レビュー・コンテキストとを含む。
【００７７】
ＤＲＭ規則６１０の例では、音楽プレーヤで保管された曲の再生は、そのプレーヤが１次プレーヤの所与の伝送範囲内にあるときに許可される可能性がある。１次プレーヤへの接近性は、１次プレーヤから検出された信号強度によって測定することができる。
【００７８】
ＤＲＭ規則６１０の他の例では、プレーヤで保管された曲は再生することができるが、その曲の所与の秒数分あるいは低解像度または品質の低下のみが許可される可能性がある。さらに、他の例では、曲全体を保管することができるが、ディジタル規則では、その曲を再生できるようになる前に、ライセンス交付データベースから暗号化解除キー（decrypt key）にアクセスすることを要求する場合もある。特に、音楽ストリームを保管するのではなく、その後の再生のために暗号化解除キーが必要な場合に音楽ファイルを転送し保管することができる。さらに、ＤＲＭ規則６１０では、曲全体の再生を許可する場合もある。
【００７９】
曲の再生に加えて、ＤＲＭ規則６１０では、コンテキストが曲名、アルバム・タイトル、作曲家、作家、歌手、制作者、レーベル、記録年、ジャンル、アルバム・タイプ（たとえば、オリジナルＬＰまたはコンピレーション）、レビュア名、レビュア・レーティング、レビュア・テキスト、レビュア推奨深さを含むがこれらに限定されない場合に、コンテキスト・データ６１２のどの部分を見ることができるかを制限することができる。追加として、ＤＲＭ規則６１０では、その曲に関するどのレビュー・コメントをユーザが見ることができるかを制限することができる。複数の音楽レビュアから、またはその曲に関するレーティングを行った他のユーザからのストリーミングされた伝送にレビュー・コメントを含めることができる。ＤＲＭ規則６１０では、電子作品の前、電子作品中、または電子作品の後で、テキストまたはオーディオ・レビューを再生することを要求することができる。有利なことに、電子作品を受信する各ユーザは、レーティングおよびレビュー・コメントでコンテキスト・データ６１２を更新することができる。さらに、ユーザがコンテキスト・データ６１２を更新するためのレーティングおよびレビュー・コメントを指定する場合、ユーザは、レーティングおよびレビュー・コメントを再生または表示するためのＤＲＭ規則をさらに指定することができる。
【００８０】
追加として、ＤＲＭ規則６１０では、ある曲を他のプレーヤにワイヤレスでブロードキャストできるかどうかを制限することができる。この例では、他のＤＲＭ規則によって確立された制約事項によってワイヤレス・ブロードキャストが許可される。追加として、ＤＲＭ規則６１０では、ブロードキャストされた電子作品の再生が許可される前に配布クッキーを受け入れるようワイヤレス・ブロードキャストの受信側に要求する。
【００８１】
また、コンテキスト・データ６１２は好ましくは、メーカ、制作者、および配布者を識別し、購入を行うための連絡先情報を提供する。追加として、音楽再生コントローラは好ましくは、電子作品の配布フローが追跡されるように、電子作品のブロードキャストを受信する各受信側のＩＤをコンテキスト・データ６１２に追加する。好ましくは、音楽プレーヤ内の音楽再生コントローラは、ＤＲＭ規則に応じて、音楽またはその他の電子作品の再生と、プレーヤ上でのコンテキスト・データの表示を制限する。
【００８２】
表１〜４に記載した通り、配布クッキー６１４は好ましくは、電子作品６０２の配布履歴と、電子作品６０２に対する受信側の応答を含む。電子作品６０２の各ワイヤレス・ブロードキャストにより、配布クッキー６１４内の配布履歴を更新することができる。表１に記載した情報に加えて、配布クッキー６１４は、配布者によって指定され、ＤＲＭ規則６１０に応じて買戻し可能な電子クーポンを含むことができる。
【００８３】
代替の一実施形態では、プレーヤ内の再生コントローラは、電子作品を再生する前にライセンス交付サーバからサンプル電子作品に関するＤＲＭ規則の取得を要求する可能性がある。さらに、ＤＲＭ規則なしで音楽およびその他の電子作品を受信する場合、再生コントローラは、レーティングの要求、購入のオファー、そうでなければＤＲＭ規則によってフィルタ処理される可能性のあるその他のプロンプト指示を自動的に開始することができる。さらに、電子作品とともに配布クッキーを受信しない場合、再生コントローラは、使用可能な配布履歴および受信側の応答に基づいて配布クッキーを作成することができる。
【００８４】
次に図７を参照すると、本発明の方法、システム、およびプログラムによるライセンス電子作品配布サーバのコンポーネントのブロック図が示されている。図示した通り、ライセンス電子作品配布サーバ２０６はライセンス・コントローラ７０２を含む。ライセンス・コントローラ７０２は、音楽用のライセンスを取得するための要求を受信する。さらに、ライセンス・コントローラ７０２は、ブロードキャストされた電子作品を受信するプレーヤからの音楽ライセンスを検証するための要求を受信することができる。好ましくは、ライセンス・データベース７０４は電子作品用のライセンスを保管し、ライセンス・レジストリ・データベース７０６は音楽ライセンスを取得した人のユーザＩＤを保管する。特に、ユーザが料金の支払または登録など、そのライセンスの要件を満たした場合、その電子作品用のライセンスを転送することができる。代替の一実施形態では、ライセンス電子作品配布サーバ２０６は、すべてのタイプの電子作品用のライセンスを制御する。前に記載した通り、使用に関する制約事項とともに、複数タイプのライセンスを実現することができる。実際の制約事項は好ましくはＤＲＭ規則によって定義される。ユーザがある電子作品を購入または登録すると、使用可能なタイプのライセンスのリストをそのユーザに提供することができる。異なるタイプのライセンスには異なるコストを関連付けることができる。さらに、使用可能なライセンスのタイプ例に加えて、その他のタイプのライセンス交付契約が使用可能である可能性があり、特定のユーザ向けにライセンス交付契約を調整することができる。
【００８５】
購入コントローラ７０８はライセンス電子作品の購入を制御する。前に記載した通り、ライセンス・コントローラ７０２は、すでにプレーヤ上に保管されている電子作品用のライセンスのユーザ購入を制御する。別法として、ユーザは、電子作品データベース７１２に保管されている電子作品を購入し、その作品に好ましいタイプのライセンスを指定することができる。次に、購入コントローラ７０８は、電子作品およびライセンスの購入を制御し、購入の記録を購入データベース７１０に保管する。
【００８６】
有利なことに、電子作品の予想される購入者に対し、その電子作品を購入するためのインセンティブを提供することができる。たとえば、このインセンティブは、電子クーポンの形にすることができる。インセンティブ・コントローラ７１４は好ましくは、ライセンス電子作品配布サーバ２０６によって配布された電子作品およびライセンスにインセンティブを適用する。インセンティブは、個別の安全な認証済みファイルとして追加される場合もあれば、配布クッキーまたはＤＲＭ規則ファイル内に追加される場合もある。配布されたインセンティブの記録はインセンティブ・データベース７１６に保管される。さらに、インセンティブ・コントローラ７１４は好ましくは、購入者から受け取ったインセンティブの買戻しを制御する。
【００８７】
インセンティブは、買戻しの条件を含むことができ、電子作品に対する受信側の応答に応じて、価格を調整することができる。したがって、インセンティブを買い戻すために、配布クッキーを使用して、電子作品の配布履歴および受信側による電子作品に対する応答をモニターすることができる。たとえば、ユーザは、そのユーザからの電子作品のワイヤレス・ブロードキャストの受信側によって電子作品の購入が行われるたびに、電子作品の購入に関する割戻しのインセンティブを受け取ることができる。他の例では、電子作品の各受信側は、電子作品に関するレーティングまたは電子作品に関するレビュー・コメントの作成に対する応答として、電子作品の購入に関する割引を受けることができる。
【００８８】
配布クッキー・コントローラ７２０は好ましくは、ライセンス電子作品配布サーバ２０６との各トランザクションに配布クッキーを付加する。配布クッキーは、配布者情報と、購入ＩＤと、購入者ＩＤと、電子作品の初期購入を記載するその他の関連情報とを含むことができる。さらに、配布クッキーは、誰が配布クッキーにアクセスできるかを指定することができる。本発明の利点の一例では、独立バンドは、配布された電子作品に付加された配布クッキーがそのバンドのサーバによってのみアクセス可能である場合に、そのバンド専用のウェブ・サイトから電子作品を配布することができる。
【００８９】
次に図８を参照すると、本発明の方法、システム、およびプログラムによる統計サーバのブロック図が示されている。まず、統計サーバ２２０によってアクセスされた配布クッキーは配布クッキー・データベース８０４に保管される。分析コントローラ８０２は、配布クッキー・データベース８０４内の配布クッキーを分析して、配布率の決定、ホット配布レーティングの割当て、受信側によって購入されたブロードキャストされた電子作品の元の購入者の追跡、電子作品に関するレーティングの決定、電子作品のレビュアに関するレーティングの決定を含むがこれらに限定されない複数の方法で使用するためのデータを編成する。分析された配布クッキーの例は表２〜４に示されている。編成されたデータは好ましくは配布統計データベース８０６に保管される。
【００９０】
統計受信側データベース８１０は好ましくは、配布すべき情報のタイプに応じて、配布クッキー情報の意図された受信側を編成する。たとえば、企業は、配布クッキー情報の受信側として加入することができる。統計配布コントローラ８０８は、配布クッキー・データベース８０４および配布統計データベース８０６内の項目を統計受信側データベース８１０内の受信側の配布プリファレンスと比較し、データベース８０４および８０６から意図された受信側への情報の配布を制御する。
【００９１】
統計サーバ２２０の利点の１つによれば、複数のユーザが肯定的レーティングまたは購入によって特定の電子作品に対して応答する場合、複数ユーザの随時ネットワークは電子作品に関するプリファレンスを通信し、特定の電子作品を囲むアクティビティの嵐を強要することができる。有利なことに、このようなアクティビティの嵐は、電子作品および電子作品のアーチスト（複数も可）のターゲット・プロモーションを改善するために配布者またはプロモータが使用することができる。
【００９２】
次に図９〜図１２を参照すると、本発明の方法、システム、およびプログラムにより電子作品を受信し、保管し、ブロードキャストできるようになっているプレーヤのユーザに提示される表示選択項目の例示的な表現が示されている。図９に図示した通り、プレーヤがワイヤレス・ブロードキャストを検出したことに応答して、ユーザは、電子作品の再生が許可される前に配布クッキーの受信を許可するようプロンプトで指示される。この例では、ユーザは配布クッキーを受信するようプロンプトで指示されるが、代替の一実施形態では、ユーザは、配布クッキーを必ず受信するかまたは特定のタイプの電子作品について配布クッキーを受信して、特定のブロードキャスタ（broadcaster）からの配布クッキーおよびその他の指定を受信するためにプリファレンスを設定することができる。
【００９３】
図１０に図示した通り、ユーザは、電子作品に関するレーティングを行うようプロンプトで指示される。ユーザは、特定の１次プレーヤから受信した複数作品の選択全体に関するレーティングを行うようプロンプトで指示される場合もある。さらに、ユーザは、ある作品の特定の特性に関するレーティングを行い、特定の作品または作品グループについてコメントを作成するようプロンプトで指示される場合もある。このプロンプト指示は、ユーザが現行ブロードキャストの同期再生を聞いている間にまたはユーザがブロードキャストからの保管サンプルの再生を聞いているときに表示される可能性がある。ユーザに提示されるレーティング・スケールは、ＤＲＭ規則が指定するか、ユーザが指定するか、または任意に選択することができる。
【００９４】
図１１に図示した通り、ユーザは、ワイヤレス・ブロードキャストから受信した電子作品に関する購入オプションを受信するかどうかを選択するようプロンプトで指示される。特に、２次プレーヤがある電子作品のワイヤレス・ブロードキャストを受信すると、その電子作品に関する購入情報が好ましくは２次プレーヤに転送され、そこに保管される。ユーザは、図示した通り、ブロードキャストされた電子作品のライセンス・コピーの購入を開始するかどうかを選択するよう自動的にプロンプトで指示される場合がある。別法として、ユーザは、ブロードキャストされた電子作品のうち、ユーザが好意的にレーティングを行った電子作品の購入を開始するかどうかのみを選択するようプロンプトで指示される場合もある。
【００９５】
図１２に図示した通り、ユーザは別法として、電子作品を購入するための電子クーポンを買い戻すかどうかを選択するようプロンプトで指示される場合もある。ユーザが電子作品を購入するための電子クーポンを買い戻すことを選択した場合、好ましくはサーバがネットワークを介してアクセス可能であるときにライセンス電子作品配布サーバによって購入が開始される。
【００９６】
次に図１３を参照すると、本発明の方法、システム、およびプログラムによる電子作品の配布の例示的な図が示されている。図示した通り、ライセンス電子作品配布サーバ２０６は、配布の経路を追跡するために配布クッキーとともにネットワーク１００１を介して電子作品を配布する。配布の経路は、電子作品の各受信側がノードと見なされる多くの枝が付いた木として見ることができる。この例では、配布サーバ２０６はプレーヤ１００４に電子作品を配布する。これは、（１）によって示す通り、第１のレベルの配布である。次にプレーヤ１００４は２次プレーヤ１００６ａ〜１００６ｎに電子作品をワイヤレスでブロードキャストする。これは、（１）（２ａ）および（１）（２ｎ）によって示す通り、第２のレベルの配布である。ワイヤレス・ブロードキャストを受信するそれぞれのプレーヤは好ましくは、配布経路を示すためにブロードキャストともに受信した配布クッキーを更新する。次に２次プレーヤ１００６ａは２次プレーヤ１００８ａ〜１００８ｎに電子作品をワイヤレスでブロードキャストする。これは、（１）（２ａ）（３ａ）および（１）（２ａ）（３ｎ）によって示す通り、第３のレベルの配布である。２次プレーヤ１００８ｎがネットワーク１０１２に接続すると、２次プレーヤ１００８ｎで更新された配布クッキーは統計サーバ２２０によってアクセスされる。特に、２次プレーヤ１００８ｎで更新された配布クッキーは好ましくは、（１）（２ａ）（３ｎ）という経路を示す。有利なことに、配布率、レビュー・レーティング、およびその他の情報は、この経路に沿って更新された配布クッキーから収集することができる。
【００９７】
次に図１４を参照すると、本発明の方法、システム、およびプログラムにより１次プレーヤからの電子作品のワイヤレス・ブロードキャストを制御するためのプロセスおよびプログラムの高レベル論理流れ図が示されている。図示した通り、プロセスはブロック１１００から始まり、その後、ブロック１１０２に移行する。ブロック１１０２は、ＤＲＭ許可ブロードキャスト範囲内の他の装置が検出されたかどうかの判定を示している。特に、特定の電子作品のブロードキャストに関するＤＲＭ規則は好ましくは、接続タイプ、ブロードキャスト範囲、その他のブロードキャスト制限およびプリファレンスを指定する。他の装置が検出されない場合、プロセスはブロック１１０２で繰り返す。他の装置が検出された場合、プロセスはブロック１１０４に移行する。
【００９８】
ブロック１１０４は、他の人のプリファレンスに基づいて電子作品を選択するための設定が選択されているかどうかの判定を示している。ＤＲＭ規則では、プリファレンスに基づく電子作品の選択を要求することができる。別法として、１次プレーヤのユーザは、プリファレンスに基づく電子作品の選択を要求することができる。プリファレンスに基づく選択が要求されない場合、プロセスはブロック１１１４に移行する。ブロック１１１４は、ブロードキャストするためのデフォルト電子作品を選択することを示している。別法として、ブロック１１０４でプリファレンスに基づく選択が要求されている場合、プロセスはブロック１１０６に移行する。ブロック１１０６は、プリファレンスに関する要求を他のワイヤレス装置に伝送することを示しており、プロセスはブロック１１０８に移行する。特に、プリファレンスに関する要求は、ＤＲＭ規則またはユーザ指定に基づいて、どのカテゴリのプリファレンスを要求するかを指定することができる。たとえば、プリファレンスに関する要求では、ミュージシャンのプリファレンスおよび音楽スタイルのプリファレンスというカテゴリを指定することができる。
【００９９】
ブロック１１０８は、ブロードキャスト範囲内の他のワイヤレス装置からのプリファレンスを受信したかどうかの判定を示している。いかなるプリファレンスも受信されていない場合、プロセスはブロック１１１４に移行する。プリファレンスが受信されている場合、プロセスはブロック１１１０に移行する。ブロック１１１０は、すべての受信プリファレンスに基づいて次にブロードキャストするための電子作品を選択することを示している。特に、プロセスは、電子作品がワイヤレス・ブロードキャストを可能にするＤＲＭ規則を含むことも要求することができる。さらに、１次プレーヤは、ネットワークを介してアクセス可能な他の電子装置内に位置するディジタルＤＪに電子作品選択プロセスをオフロードすることができる。その上、再生コントローラは、ミュージシャンのプリファレンスなど、２次プレーヤから受信したプリファレンスの選択に基づいて、次にブロードキャストするための電子作品を選択するためにのみ受信した複数組のプリファレンスをさらにフィルタ処理することができる。次に、ブロック１０１２は、電子作品の再生のために配布クッキーを受信するよう受信側に要求するＤＲＭ規則とともにサンプル電子作品をブロードキャストすることを示しており、プロセスは終了する。
【０１００】
次に図１５を参照すると、本発明の方法、システム、およびプログラムにより２次プレーヤでのブロードキャストされた電子作品の受信を制御するためのプロセスおよびプログラムの高レベル論理流れ図が示されている。図示した通り、プロセスはブロック１２００から始まり、その後、ブロック１２０２に移行する。ブロック１２０２は、ブロードキャスト・ワイヤレス装置が検出されたかどうかの判定を示している。ブロードキャスト・ワイヤレス装置が検出されない場合、プロセスはブロック１２０２で繰り返す。ブロードキャスト・ワイヤレス装置が検出された場合、プロセスはブロック１２０４に移行する。ブロック１２０４は、プリファレンスに関する要求を受信したかどうかの判定を示している。プリファレンスに関する要求が受信されている場合、プロセスはブロック１２０６に移行する。プリファレンスに関する要求が受信されていない場合、プロセスはブロック１２１２に移行する。
【０１０１】
プロセスがブロック１２０６に移行した場合、ユーザがプリファレンスの送信を許可するための要求が提示される。次に、ブロック１２０８は、ユーザがプリファレンスの送信を許可したかどうかの判定を示している。ユーザがプリファレンスの送信を許可していない場合、プロセスはブロック１２１２に移行する。ユーザがプリファレンスの送信を許可した場合、プロセスはブロック１２１０に移行する。ブロック１２１０は、そのプレーヤのすべての適用可能ユーザに関するプリファレンスを送信することを示しており、プロセスはブロック１２１２に移行する。ユーザ・プリファレンスは、装置所有者、現行ユーザ、または複数ユーザのグループによって設定することができる。
【０１０２】
ブロック１２１２は、ブロードキャストされた電子作品に関するＤＲＭ規則が配布クッキーの受入れを要求しているかどうかの判定を示している。規則が配布クッキーの受入れを要求していない場合、プロセスはブロック１２２０に移行する。規則が配布クッキーの受入れを要求している場合、プロセスはブロック１２１４に移行する。ブロック１２１４は、ユーザがそのクッキーを受け入れるかどうかの判定を示している。ユーザは、配布クッキーを自動的に受け入れるかまたは拒否するプリファレンスを設定することができる。別法として、ユーザは、配布クッキーを受け入れるかまたは拒否するようプロンプトで指示されるためのプリファレンスを設定することができる。ユーザが配布クッキーを受け入れない場合、プロセスはブロック１２１６に移行する。ブロック１２１６は、いかなるクッキーも受け入れられないときにＤＲＭ規則に応じて電子作品の再生をブロックすることを示しており、プロセスは終了する。別法として、ユーザがクッキーを受け入れる場合、プロセスはブロック１２１８に移行する。ブロック１２１８は、２次プレーヤおよび２次プレーヤのユーザに関する新しい配布情報で配布クッキーを更新することを示している。次に、ブロック１２２０は、ＤＲＭ規則に応じて電子作品の再生を制御することを示しており、プロセスは終了する。
【０１０３】
次に図１６を参照すると、本発明の方法、システム、およびプログラムにより配布クッキーを更新し伝送するためのプロセスおよびプログラムの高レベル論理流れ図が示されている。図示した通り、プロセスはブロック１３００から始まり、その後、ブロック１３０１に移行する。ブロック１３０１は、配布クッキーに影響する条件をモニターすることを示しており、プロセスはブロック１３０２に移行する。後に続く判断プロセスのそれぞれは処理内に示されているが、それぞれのプロセスは個別にモニターし、トリガすることができる。判断プロセスは、モニター可能なタイプの条件のうち、プレーヤ上に保管された配布クッキーに影響すると思われるものを例示するためのものにすぎない。
【０１０４】
ブロック１３０２は、ユーザが電子作品を購入することを選択したかどうかの判定を示している。ユーザが電子作品を購入することを選択していない場合、プロセスはブロック１３０６に移行する。ユーザが電子作品を購入することを選択した場合、プロセスはブロック１３０４に移行する。ブロック１３０４は、購入した電子作品に関する配布クッキーを購入情報で更新することを示しており、プロセスはブロック１３０６に移行する。
【０１０５】
ブロック１３０６は、ユーザが電子作品または電子作品のレビューに関するレーティングを行うことを選択したかどうかの判定を示している。ユーザがレーティングを行うことを選択していない場合、プロセスはブロック１３１０に移行する。ユーザがレーティングを行うことを選択した場合、プロセスはブロック１３０８に移行する。ブロック１３０８は、レーティングを行った電子作品に関する配布クッキーをレーティング情報で更新することを示しており、プロセスはブロック１３１０に移行する。
【０１０６】
ブロック１３１０は、それによって統計サーバがアクセス可能になるネットワークにプレーヤが接続されているかどうかの判定を示している。プレーヤが接続されていない場合、プロセスはブロック１３１４に移行する。プレーヤが接続されている場合、プロセスはブロック１３１２に移行する。ブロック１３１２は、配布クッキーで統計サーバに連絡することを示しており、プロセスはブロック１３１４に移行する。特に、連絡するための特定のサーバを配布クッキーが指定する場合もあれば、どの統計サーバに連絡するかをＤＲＭ規則が指定する場合もある。
【０１０７】
ブロック１３１４は、ユーザが電子作品をワイヤレスでブロードキャストしているかどうかの判定を示している。ユーザが電子作品をワイヤレスでブロードキャストしていない場合、プロセスは終了する。ユーザが電子作品をワイヤレスでブロードキャストしている場合、プロセスはブロック１３１６に移行する。ブロック１３１６は、ブロードキャストされた電子作品に関する配布クッキーをブロードキャスト情報で更新することを示しており、プロセスは終了する。
【０１０８】
次に図１７を参照すると、本発明の方法、システム、およびプログラムにより統計サーバを制御するためのプロセスおよびプログラムの高レベル論理流れ図が示されている。図示した通り、プロセスはブロック１４００から始まり、その後、ブロック１４０２に移行する。ブロック１４０２は、新しい配布クッキーがアクセスされたかどうかの判定を示している。新しい配布クッキーがアクセスされていない場合、プロセスはブロック１４０２で繰り返す。新しい配布クッキーがアクセスされた場合、プロセスはブロック１４０４に移行する。ブロック１４０４は、配布クッキーをデータベースに保管することを示している。次に、ブロック１４０６は、配布率、購入履歴、レーティング履歴、およびその他の設定について配布クッキーを分析することを示している。その後、ブロック１４０８は、分析および配布クッキーを加入者に配布することを示しており、プロセスは終了する。
【０１０９】
好ましい実施形態に関連して本発明を詳細に示し説明してきたが、当業者であれば、本発明の精神および範囲を逸脱せずに、形式および詳細の点で様々な変更が可能であることが分かるであろう。
【図面の簡単な説明】
【０１１０】
【図１】本方法、システム、およびプログラムを実現可能なコンピューティング・システムを示すブロック図である。
【図２】本発明の方法、システム、およびプログラムによる電子作品ライセンス交付、配布、および追跡システムを容易にするための分散ネットワーク・システムを示すブロック図である。
【図３】本発明の方法、システム、およびプログラムによるワイヤレス・ネットワーク・ブロードキャストを示すブロック図である。
【図４】本発明の方法、システム、およびプログラムによる音楽プレーヤを示すブロック図である。
【図５】本発明の方法、システム、およびプログラムにより音楽をブロードキャストする１次プレーヤと音楽を受信する２次プレーヤとの間のワイヤレス通信を示すブロック図である。
【図６】本発明の方法、システム、およびプログラムにより音楽プレーヤに保管されたサンプル曲を示すブロック図である。
【図７】本発明の方法、システム、およびプログラムによるライセンス電子作品配布サーバのコンポーネントのブロック図である。
【図８】本発明の方法、システム、およびプログラムによる統計サーバのブロック図である。
【図９】本発明の方法、システム、およびプログラムにより電子作品を受信し、保管し、ブロードキャストできるようになっているプレーヤのユーザに提示される表示選択項目の例示的な表現である。
【図１０】本発明の方法、システム、およびプログラムにより電子作品を受信し、保管し、ブロードキャストできるようになっているプレーヤのユーザに提示される表示選択項目の例示的な表現である。
【図１１】本発明の方法、システム、およびプログラムにより電子作品を受信し、保管し、ブロードキャストできるようになっているプレーヤのユーザに提示される表示選択項目の例示的な表現である。
【図１２】本発明の方法、システム、およびプログラムにより電子作品を受信し、保管し、ブロードキャストできるようになっているプレーヤのユーザに提示される表示選択項目の例示的な表現である。
【図１３】本発明の方法、システム、およびプログラムによる電子作品の配布の例示的な図である。
【図１４】本発明の方法、システム、およびプログラムにより１次プレーヤからの電子作品のワイヤレス・ブロードキャストを制御するためのプロセスおよびプログラムの高レベル論理流れ図である。
【図１５】本発明の方法、システム、およびプログラムにより２次プレーヤでのブロードキャストされた電子作品の受信を制御するためのプロセスおよびプログラムの高レベル論理流れ図である。
【図１６】本発明の方法、システム、およびプログラムにより配布クッキーを更新し伝送するためのプロセスおよびプログラムの高レベル論理流れ図である。
【図１７】本発明の方法、システム、およびプログラムにより統計サーバを制御するためのプロセスおよびプログラムの高レベル論理流れ図である。
【符号の説明】
【０１１１】
１０２  ネットワーク
２００  分散システム
２０４  ディジタルＤＪ
２０６  ライセンス電子作品配布サーバ
２０８、２１０  クライアント・プレーヤ
２２０  統計サーバ
【図１】
2005166041.tif 000003
【図２】
2005166041.tif 000004
【図３】
2005166041.tif 000005
【図４】
2005166041.tif 000006
【図５】
2005166041.tif 000007
【図６】
2005166041.tif 000008
【図７】
2005166041.tif 000009
【図８】
2005166041.tif 000010
【図９】
2005166041.tif 000011
【図１０】
2005166041.tif 000012
【図１１】
2005166041.tif 000013
【図１２】
2005166041.tif 000014
【図１３】
2005166041.tif 000015
【図１４】
2005166041.tif 000016
【図１５】
2005166041.tif 000017
【図１６】
2005166041.tif 000018
【図１７】
2005166041.tif 000019